(57)【要約】  液晶表示装置（表示装置）は、実質的に円形とされる外周縁部を部分的に直線状にしてなる直線状縁部（１１ｂ１）が複数設けられる液晶パネル（表示パネル）（１１）と、液晶パネル（１１）の外周側部分にて周方向について複数の直線状縁部（１１ｂ１）の配置と整合する形で実装される複数のフレキシブル基板（実装部品）（２０）と、を備える。
2016143659.tif 000002
【特許請求の範囲】
【請求項１】
実質的に円形または楕円形とされる外周縁部を部分的に直線状にしてなる直線状縁部が複数設けられる表示パネルと、
前記表示パネルの外周側部分にて周方向について複数の前記直線状縁部の配置と整合する形で実装される複数の実装部品と、を備える表示装置。
【請求項２】
前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子を順次に走査して選択的に駆動する走査回路部と、が少なくとも設けられている請求項１記載の表示装置。
【請求項３】
前記表示パネルには、複数の前記表示素子に接続される複数のデータ線が前記表示領域に、複数の前記実装部品と複数の前記データ線の一方の端部とを接続する複数のデータ接続配線と、複数の前記実装部品と前記走査回路部とを接続する複数の走査接続配線と、が前記非表示領域にそれぞれ少なくとも設けられており、
複数の前記実装部品は、前記データ線の他方の端部よりも前記一方の端部の近くに配されているのに対し、複数の前記走査接続配線は、前記データ線の前記他方の端部側から前記走査回路部に接続されている請求項２記載の表示装置。
【請求項４】
前記表示パネルは、画像を表示する表示領域と、前記外周側部分により構成されて前記表示領域を取り囲む非表示領域と、に区分され、そのうちの前記表示領域には、マトリクス状に並んで配される複数の表示素子が少なくとも設けられるのに対し、前記非表示領域には、複数の前記表示素子を順次に走査して選択的に駆動する走査回路部が少なくとも設けられている請求項１記載の表示装置。
【請求項５】
前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子に接続される複数のデータ線と、が少なくとも設けられており、
前記表示パネルを前記データ線に並行する中心線によって第１半割領域と第２半割領域とに区分したとき、複数の前記実装部品には、前記第１半割領域に配されてそこの前記データ線に接続される第１実装部品と、前記第２半割領域に配されてそこの前記データ線に接続される第２実装部品と、が少なくとも含まれている請求項１から請求項４のいずれか１項に記載の表示装置。
【請求項６】
前記表示パネルには、複数の前記実装部品と複数の前記データ線の一方の端部とを接続する複数のデータ接続配線が前記非表示領域に少なくとも設けられており、
前記第１実装部品は、前記直線状縁部の延在方向についての中心が、前記第１半割領域における前記データ線と直交する方向についての中心と実質的に整合する形で配されているのに対し、前記第２実装部品は、前記直線状縁部の延在方向についての中心が、前記第２半割領域における前記データ線と直交する方向についての中心と実質的に整合する形で配されている請求項５記載の表示装置。
【請求項７】
前記第１実装部品と前記周方向について整合する配置の前記直線状縁部、及び前記第２実装部品と前記周方向について整合する配置の前記直線状縁部は、それらにおける延在方向についての中心と、前記表示パネルの中心と、を結んで得られる中心角が、略９０度となるよう配されている請求項５記載の表示装置。
【請求項８】
前記表示パネルには、複数の前記実装部品と複数の前記データ線とを接続する複数のデータ接続配線が少なくとも前記非表示領域に設けられており、
前記第１実装部品及び前記第２実装部品は、それらにおける前記直線状縁部の延在方向についての中心と、前記表示パネルの中心と、を結んで得られる中心角が、略１８０度となるよう配されており、
複数の前記データ接続配線には、前記データ線における一方の端部に接続されるものと、前記データ接続配線に前記一方の端部が接続された前記データ線に対して隣り合う配置の前記データ線における他方の端部に接続されるものと、が含まれている請求項５記載の表示装置。
【請求項９】
前記第１実装部品及び前記第２実装部品は、前記表示パネルの前記非表示領域に少なくとも２つずつ実装されるとともに、前記中心線と直交する第２の中心線を挟んだ両側に分散して配されて複数の前記データ線における一方の端部と他方の端部とにそれぞれ接続されている請求項５から請求項８のいずれか１項に記載の表示装置。
【請求項１０】
前記第１実装部品及び前記第２実装部品は、前記表示パネルの前記非表示領域に少なくとも２つずつ実装されるとともに、前記中心線と直交する第２の中心線に対して片側に集約して配されて複数の前記データ線における一方の端部に接続されている請求項５から請求項８のいずれか１項に記載の表示装置。
【請求項１１】
前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子に接続される複数のデータ線と、が少なくとも設けられるのに対し、前記非表示領域には、複数の前記実装部品と複数の前記データ線とを接続する複数のデータ接続配線が少なくとも設けられており、
複数の前記実装部品は、前記表示パネルを前記データ線と直交する中心線を挟んだ一方側と他方側とに分散して配されているのに対し、複数の前記データ線は、前記中心線に対して一方側に配された前記実装部品に対して一方の端部が接続されるものと、前記中心線に対して他方側に配された前記実装部品に対して他方の端部が接続されるものと、が交互に並ぶ形で配される構成となっている請求項１から請求項４のいずれか１項に記載の表示装置。
【請求項１２】
複数の前記直線状縁部は、前記表示パネルの外周縁部に設けられる数が、複数の前記実装部品の実装数よりも多いものとされており、
複数の前記直線状縁部のうち、前記実装部品が非配置とされる前記直線状縁部は、その中心と、前記実装部品が配置される前記直線状縁部の中心と、前記表示パネルの中心と、をそれぞれ結んで得られる中心角が略９０度となるよう配されている請求項１から請求項１１のいずれか１項に記載の表示装置。
【請求項１３】
前記表示パネルは、第１基板と、前記第１基板に対して貼り合わせられる第２基板と、前記第１基板と前記第２基板との間に挟み込まれる液晶層と、前記液晶層の周りを封止するよう前記周方向に沿って延在し且つその一部に前記液晶層を構成する液晶材料の注入口を有してなるシール部と、前記注入口を封止する注入口封止部と、を備えており、
複数の前記直線状縁部は、前記表示パネルの外周縁部に設けられる数が、複数の前記実装部品の実装数よりも多いものとされ、そのうちの前記実装部品が非配置とされる前記直線状縁部は、前記周方向についての位置が前記注入口に整合するよう配されている請求項１から請求項１２のいずれか１項に記載の表示装置。
【請求項１４】
複数の前記直線状縁部は、前記表示パネルの外周縁部に設けられる数が、複数の前記実装部品の実装数よりも多いものとされており、
そのうちの前記実装部品が非配置とされる前記直線状縁部に対して平面に視て外側に隣接する形で配される機能部品が備えられている請求項１から請求項１３のいずれか１項に記載の表示装置。
【請求項１５】
前記表示パネルに光を照射する照明装置であって、前記周方向に沿って間隔を空けて並んで配される複数の光源と、複数の前記光源の光を導光する導光板と、を少なくとも有する照明装置を備えており、
複数の前記光源は、前記周方向について隣り合うものと、前記表示パネルの中心と、を結んで得られる中心角が、前記実装部品のうちの前記直線状縁部の延在方向についての両端位置と、前記表示パネルの中心と、を結んで得られる中心角と同じかそれよりも大きくなるよう配されている請求項１から請求項１４のいずれか１項に記載の表示装置。
【発明の詳細な説明】
【技術分野】
【０００１】
本発明は、表示装置に関する。
【背景技術】
【０００２】
液晶表示装置は、基板間に液晶層を挟持した液晶パネルを有し、液晶パネルの表示領域において文字や画像の表示がなされる。特許文献１には、円形の表示領域を有する液晶表示装置が開示される。この液晶表示装置では、第１領域及び第２領域からなる基板を備えており、このうちの第１領域は、基板を切り出す際の切断箇所にできる曲線状の露出端面と、基板の内部に位置する曲線状の非露出端面とに囲まれているのに対し、第２領域は、非露出端面と、３つの直線状の露出端面とに囲まれている。
【先行技術文献】
【特許文献】
【０００３】
【特許文献１】特許第５１７７８７５号
【０００４】
（発明が解決しようとする課題）
上記した特許文献１によれば、液晶パネルを小さくでき、且つ、表示領域を大きくできるようになっている。しかしながら、例えば表示画像の高精細化が進行し、表示領域内の配線数が増加すると、基板上の端子部の形成範囲が広くなるとともに端子部に接続されるフレキシブル基板の幅も広いものとなる。端子部の形成範囲及びそこに接続されるフレキシブル基板の幅が広くなると、それに応じて第２領域を拡張する必要が生じるため、それに伴って基板の最大外径を大型化せざるを得ない。ここで、仮に液晶表示装置全体の外形を基板の外形に倣う形態とすると、液晶表示装置の筐体などの形状が複雑化することから、液晶表示装置の外形を単純な円形にするのが好ましい場合がある。ところが、その場合には、液晶表示装置の径寸法を、液晶パネルの基板の最大外径と等しくなる設定とせざるを得ないため、液晶表示装置の額縁幅を広くせざるを得なくなるとともに液晶表示装置の外形が大型化せざるを得なくなっていた。
【発明の概要】
【０００５】
本発明は上記のような事情に基づいて完成されたものであって、狭額縁化を図るとともに大型化を抑制することを目的とする。
【０００６】
（課題を解決するための手段）
本発明の表示装置は、実質的に円形または楕円形とされる外周縁部を部分的に直線状にしてなる直線状縁部が複数設けられる表示パネルと、前記表示パネルの外周側部分にて周方向について複数の前記直線状縁部の配置と整合する形で実装される複数の実装部品と、を備える。
【０００７】
このようにすれば、複数の実装部品が、表示パネルの外周縁部を部分的に直線状にしてなる複数の直線状縁部における周方向についての配置に整合する形で表示パネルの外周側部分に実装されているから、各実装部品の個々の大きさを小さくすることができるとともに、各直線状縁部の個々の長さを短くすることができる。これにより、表示パネルの外周側部分の幅、つまり額縁幅を狭くすることができるので、当該表示装置の狭額縁化を図る上で好適とされるとともに大型化の抑制を図る上で好適となる。また、実装部品の実装に際しては、複数の直線状縁部を利用して表示パネルに対する複数の実装部品の位置決めを図ることが可能とされる。
【０００８】
本発明の実施態様として、次の構成が好ましい。
（１）前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子を順次に走査して選択的に駆動する走査回路部と、が少なくとも設けられている。このようにすれば、仮に走査回路部を外周側部分により構成される非表示領域に配置した場合に比べると、非表示領域をより狭くすることができ、もって狭額縁化を図る上でより好適とされる。
【０００９】
（２）前記表示パネルには、複数の前記表示素子に接続される複数のデータ線が前記表示領域に、複数の前記実装部品と複数の前記データ線の一方の端部とを接続する複数のデータ接続配線と、複数の前記実装部品と前記走査回路部とを接続する複数の走査接続配線と、が前記非表示領域にそれぞれ少なくとも設けられており、複数の前記実装部品は、前記データ線の他方の端部よりも前記一方の端部の近くに配されているのに対し、複数の前記走査接続配線は、前記データ線の前記他方の端部側から前記走査回路部に接続されている。このようにすれば、非表示領域において複数ずつのデータ接続配線と走査接続配線とが分散して配置されるので、非表示領域をさらに狭くすることができ、もって狭額縁化を図る上でさらに好適とされる。しかも、複数の実装部品がデータ線のうちデータ接続配線が接続される一方の端部の近くに配されているので、複数のデータ接続配線の延面距離が短く済み、データ線に伝送する信号に鈍りが生じ難いものとなる。なお、走査接続配線は、データ接続配線よりも延面距離が相対的に長くなるものの、走査接続配線によって伝送される信号は、走査回路部によって例えば増幅などすることが可能とされるので、鈍りなどの問題が生じ難いものとされる。
【００１０】
（３）前記表示パネルは、画像を表示する表示領域と、前記外周側部分により構成されて前記表示領域を取り囲む非表示領域と、に区分され、そのうちの前記表示領域には、マトリクス状に並んで配される複数の表示素子が少なくとも設けられるのに対し、前記非表示領域には、複数の前記表示素子を順次に走査して選択的に駆動する走査回路部が少なくとも設けられている。このようにすれば、仮に走査回路部が表示領域に配される場合に比べると、表示領域において実効的に表示に寄与する面積が大きく確保されるので、表示画像に係る輝度などが向上し、もって表示品位が高いものとなる。
【００１１】
（４）前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子に接続される複数のデータ線と、が少なくとも設けられており、前記表示パネルを前記データ線に並行する中心線によって第１半割領域と第２半割領域とに区分したとき、複数の前記実装部品には、前記第１半割領域に配されてそこの前記データ線に接続される第１実装部品と、前記第２半割領域に配されてそこの前記データ線に接続される第２実装部品と、が少なくとも含まれている。このようにすれば、第１半割領域と第２半割領域とにそれぞれ配した第１実装部品と第２実装部品とに、第１半割領域に配される表示素子及びデータ線と、第２半割領域に配される表示素子及びデータ線と、をそれぞれ分担させることで、表示領域の各表示素子に表示のための信号を効率的に供給することができる。
【００１２】
（５）前記表示パネルには、複数の前記実装部品と複数の前記データ線の一方の端部とを接続する複数のデータ接続配線が前記非表示領域に少なくとも設けられており、前記第１実装部品は、前記直線状縁部の延在方向についての中心が、前記第１半割領域における前記データ線と直交する方向についての中心と実質的に整合する形で配されているのに対し、前記第２実装部品は、前記直線状縁部の延在方向についての中心が、前記第２半割領域における前記データ線と直交する方向についての中心と実質的に整合する形で配されている。このようにすれば、各実装部品から各半割領域に配される各データ線の一方の端部に至るまで引き回される複数のデータ接続配線が、各実装部品の中心に対して両側に均等化された形で配される。これにより、非表示領域を一層狭くすることができ、狭額縁化を図る上で一層良好なものとなる。
【００１３】
（６）前記第１実装部品と前記周方向について整合する配置の前記直線状縁部、及び前記第２実装部品と前記周方向について整合する配置の前記直線状縁部は、それらにおける延在方向についての中心と、前記表示パネルの中心と、を結んで得られる中心角が、略９０度となるよう配されている。このようにすれば、複数の直線状縁部には、表示パネルの非表示領域のうち周方向についての配置が第１実装部品及び第２実装部品と整合するものが含まれているが、これらの直線状縁部における延在方向が互いに直交する関係となる。従って、第１実装部品及び第２実装部品を実装するに際して、周方向についての配置が第１実装部品及び第２実装部品と整合する直線状縁部を利用することで、表示パネルを互いに直交する２方向について位置決めすることが可能となる。これにより、第１実装部品及び第２実装部品を高い位置精度でもって実装することができる。
【００１４】
（７）前記表示パネルには、複数の前記実装部品と複数の前記データ線とを接続する複数のデータ接続配線が少なくとも前記非表示領域に設けられており、前記第１実装部品及び前記第２実装部品は、それらにおける前記直線状縁部の延在方向についての中心と、前記表示パネルの中心と、を結んで得られる中心角が、略１８０度となるよう配されており、複数の前記データ接続配線には、前記データ線における一方の端部に接続されるものと、前記データ接続配線に前記一方の端部が接続された前記データ線に対して隣り合う配置の前記データ線における他方の端部に接続されるものと、が含まれている。このようにすれば、非表示領域において複数のデータ接続配線が分散して配されることになるから、高精細化に伴ってデータ接続配線の数が多くなった場合でも、非表示領域を狭く保つことができ、もって高精細化及び狭額縁化を図る上で好適となる。
【００１５】
（８）前記第１実装部品及び前記第２実装部品は、前記表示パネルの前記非表示領域に少なくとも２つずつ実装されるとともに、前記中心線と直交する第２の中心線を挟んだ両側に分散して配されて複数の前記データ線における一方の端部と他方の端部とにそれぞれ接続されている。このようにすれば、実装部品が少なくとも４つ備えられるので、高精細化を図る上でより好適となる。その上、少なくとも２つずつの第１実装部品及び第２実装部品が、中心線と直交する第２の中心線を挟んだ両側に分散して配されるとともに複数のデータ線における一方の端部と他方の端部とにそれぞれ接続されるから、実装部品の実装数が少なくとも４つとなっても非表示領域を十分に狭く保つことができ、もって狭額縁化を図る上で好適とされる。
【００１６】
（９）前記第１実装部品及び前記第２実装部品は、前記表示パネルの前記非表示領域に少なくとも２つずつ実装されるとともに、前記中心線と直交する第２の中心線に対して片側に集約して配されて複数の前記データ線における一方の端部に接続されている。このようにすれば、実装部品が少なくとも４つ備えられるので、高精細化を図る上でより好適となる。その上、少なくとも２つずつの第１実装部品及び第２実装部品が、中心線と直交する第２の中心線に対して片側に集約して配されて複数のデータ線における一方の端部に対して接続されるので、複数のデータ線に供給する信号に係る処理が簡単なものとなる。
【００１７】
（１０）前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子に接続される複数のデータ線と、が少なくとも設けられるのに対し、前記非表示領域には、複数の前記実装部品と複数の前記データ線とを接続する複数のデータ接続配線が少なくとも設けられており、複数の前記実装部品は、前記表示パネルを前記データ線と直交する中心線を挟んだ一方側と他方側とに分散して配されているのに対し、複数の前記データ線は、前記中心線に対して一方側に配された前記実装部品に対して一方の端部が接続されるものと、前記中心線に対して他方側に配された前記実装部品に対して他方の端部が接続されるものと、が交互に並ぶ形で配される構成となっている。このようにすれば、データ線と直交する中心線に対して一方側と他方側とに分散して配される各実装部品には、複数のデータ線における一方の端部と他方の端部とが交互に接続されることになるから、同中心線に沿う方向についてのデータ接続配線の分布密度が低いものとなる。これにより、高精細化を図る上で好適となる。
【００１８】
（１１）複数の前記直線状縁部は、前記表示パネルの外周縁部に設けられる数が、複数の前記実装部品の実装数よりも多いものとされており、複数の前記直線状縁部のうち、前記実装部品が非配置とされる前記直線状縁部は、その中心と、前記実装部品が配置される前記直線状縁部の中心と、前記表示パネルの中心と、をそれぞれ結んで得られる中心角が略９０度となるよう配されている。このようにすれば、複数の実装部品を実装するに際して、複数の直線状縁部を利用することで、表示パネルを互いに直交する２方向について位置決めすることが可能となる。これにより、複数の実装部品を高い位置精度でもって実装することができる。
【００１９】
（１２）前記表示パネルは、第１基板と、前記第１基板に対して貼り合わせられる第２基板と、前記第１基板と前記第２基板との間に挟み込まれる液晶層と、前記液晶層の周りを封止するよう前記周方向に沿って延在し且つその一部に前記液晶層を構成する液晶材料の注入口を有してなるシール部と、前記注入口を封止する注入口封止部と、を備えており、複数の前記直線状縁部は、前記表示パネルの外周縁部に設けられる数が、複数の前記実装部品の実装数よりも多いものとされ、そのうちの前記実装部品が非配置とされる前記直線状縁部は、前記周方向についての位置が前記注入口に整合するよう配されている。このようにすれば、シール部の注入口を封止する注入口封止部が、表示パネルの外周縁部から外側にはみ出した場合でも、実質的に円形または楕円形をなす表示パネルの外形が大型化し難いものとなる。
【００２０】
（１３）複数の前記直線状縁部は、前記表示パネルの外周縁部に設けられる数が、複数の前記実装部品の実装数よりも多いものとされており、そのうちの前記実装部品が非配置とされる前記直線状縁部に対して平面に視て外側に隣接する形で配される機能部品が備えられている。このようにすれば、機能部品が、実質的に円形または楕円形をなす表示パネルの外形の外側にはみ出し難いものとなり、当該表示装置が大型化し難いものとなる。
【００２１】
（１４）前記表示パネルに光を照射する照明装置であって、前記周方向に沿って間隔を空けて並んで配される複数の光源と、複数の前記光源の光を導光する導光板と、を少なくとも有する照明装置を備えており、複数の前記光源は、前記周方向について隣り合うものと、前記表示パネルの中心と、を結んで得られる中心角が、前記実装部品のうちの前記直線状縁部の延在方向についての両端位置と、前記表示パネルの中心と、を結んで得られる中心角と同じかそれよりも大きくなるよう配されている。このようにすれば、平面に視て周方向について隣り合う光源の間に実装部品が挟まれる形で配されることになる。これにより、複数の光源を周方向について等間隔に配置することが可能となるので、複数の光源から導光板に入射される光が周方向について均等化され、もって当該照明装置の出射光に輝度ムラが生じ難くなる。
【００２２】
（発明の効果）
本発明によれば、狭額縁化を図るとともに大型化を抑制することができる。
【図面の簡単な説明】
【００２３】
【図１】本発明の実施形態１に係る液晶表示装置の分解斜視図
【図２】液晶表示装置に備えられる液晶パネルの断面図
【図３】液晶パネルを構成するアレイ基板の表示領域における平面構成を示す拡大平面図
【図４】液晶パネルを構成するＣＦ基板の表示領域における平面構成を示す拡大平面図
【図５】液晶パネル及びフレキシブル基板の平面図
【図６】液晶パネルを構成するアレイ基板の平面図
【図７】液晶表示装置に備えられるバックライト装置の平面図
【図８】図６及び図７のviii-viii線断面図
【図９】図６及び図７のix-ix線断面図
【図１０】ＬＥＤ基板の底面図
【図１１】液晶表示装置における表示の制御に関するブロック図
【図１２】本発明の実施形態２に係る液晶パネルを構成するアレイ基板の平面図
【図１３】液晶表示装置における表示の制御に関するブロック図
【図１４】本発明の実施形態３に係る液晶パネルを構成するアレイ基板の平面図
【図１５】液晶表示装置における表示の制御に関するブロック図
【図１６】本発明の実施形態４に係る液晶パネルを構成するアレイ基板の平面図
【図１７】本発明の実施形態５に係る液晶パネルを構成するアレイ基板の平面図
【図１８】本発明の実施形態６に係る液晶パネルを構成するアレイ基板の平面図
【図１９】本発明の実施形態７に係る液晶パネルを構成するアレイ基板の平面図
【図２０】本発明の実施形態８に係る液晶パネルを構成するアレイ基板の平面図
【図２１】本発明の実施形態９に係る液晶パネルにおける液晶層及びシール部などを切断した平断面図
【図２２】本発明の実施形態１０に係る液晶パネルを構成するアレイ基板の平面図
【図２３】本発明の実施形態１１に係るタッチパネル及びタッチパネル用フレキシブル基板の平面図
【図２４】液晶パネルを構成するアレイ基板の平面図
【図２５】図２３及び図２４のxxv-xxv線断面図
【図２６】本発明の実施形態１２に係る液晶パネルを構成するアレイ基板の平面図
【図２７】本発明の実施形態１３に係る液晶パネルを構成するアレイ基板の平面図
【図２８】本発明の実施形態１４に係る液晶パネルを構成するアレイ基板の平面図
【図２９】本発明の実施形態１５に係る液晶パネルを構成するアレイ基板の平面図
【発明を実施するための形態】
【００２４】
＜実施形態１＞
本発明の実施形態１を図１から図１１によって説明する。本実施形態では、表示パネルとして液晶パネル１１を備えた液晶表示装置（表示装置）１０について例示する。なお、各図面の一部にはＸ軸、Ｙ軸及びＺ軸を示しており、各軸方向が各図面で示した方向となるように描かれている。また、上下方向については、図８及び図９を基準とし、且つ同図上側を表側とするとともに同図下側を裏側とする。
【００２５】
液晶表示装置１０は、全体として略円形状をなしており、図１に示すように、画像を表示可能な液晶パネル（表示パネル）１１と、液晶パネル１１に対して裏側に配されるとともに液晶パネル１１に表示のための光を供給するバックライト装置（照明装置）１２と、を少なくとも備えている。なお、図示は省略するが、液晶表示装置１０に、バックライト装置１２との間で液晶パネル１１の外周端部を保持するベゼルが備わる構成とすることも可能である。本実施形態に係る液晶表示装置１０は、例えば、携帯電話（スマートフォンなどを含む）、ノートパソコン（タブレット型ノートパソコンなどを含む）、携帯型情報端末（電子ブックやＰＤＡなどを含む）、デジタルフォトフレーム、携帯型ゲーム機などの各種電子機器（図示せず）に用いられるのが好ましいものとされるが、必ずしもその限りではない。このため、液晶表示装置１０を構成する液晶パネル１１の画面サイズは、例えば、数インチ〜１０数インチ程度とされ、一般的には小型または中小型に分類される大きさとされるのが好ましいものとされるが、必ずしもその限りではない。
【００２６】
液晶パネル１１について説明する。液晶パネル１１は、図１に示すように、全体として平面に視て略円形状をなしている。液晶パネル１１は、図２に示すように、ほぼ透明で優れた透光性を有するガラス製の一対の基板１１ａ，１１ｂと、両基板１１ａ，１１ｂ間に介在し、電界印加に伴って光学特性が変化する物質である液晶分子（液晶材料）を含む液晶層１１ｅと、液晶層１１ｅの周りを封止するよう周方向に沿って延在するとともに両基板１１ａ，１１ｂを液晶層１１ｅの厚さ分のギャップを維持した状態で貼り合わせるシール部１１ｆと、を少なくとも備える。この液晶パネル１１では、いわゆる滴下注入法にて液晶層１１ｅが両基板１１ａ，１１ｂ間に挟持されるようになっている。この液晶パネル１１は、画面の中央側部分により構成されて画像が表示される略円形状の表示領域（アクティブエリア）ＡＡと、画面の外周側部分により構成されて表示領域ＡＡを取り囲む略円環状（略円形の枠状、ドーナツ状）をなすとともに画像が表示されない非表示領域（ノンアクティブエリア）ＮＡＡと、に区分されている。液晶パネル１１は、バックライト装置１２から供給される光を利用して表示領域ＡＡに画像を表示することができ、その表側が出光側とされている。なお、両基板１１ａ，１１ｂの外面側には、それぞれ偏光板１１ｃ，１１ｄが貼り付けられている。
【００２７】
液晶パネル１１を構成する両基板１１ａ，１１ｂのうち表側（正面側）がＣＦ基板１１ａとされ、裏側（背面側）がアレイ基板１１ｂとされる。アレイ基板１１ｂのうちの表示領域ＡＡの内面側（液晶層１１ｅ側、ＣＦ基板１１ａとの対向面側）には、図２及び図３に示すように、スイッチング素子であるＴＦＴ（Thin Film Transistor：表示素子）１１ｇ及び画素電極１１ｈが多数個マトリクス状（行列状）に並んで設けられるとともに、これらＴＦＴ１１ｇ及び画素電極１１ｈの周りには、格子状をなすゲート配線（走査線）１１ｉ及びソース配線（データ線）１１ｊが取り囲むようにして配設されている。ゲート配線１１ｉとソース配線１１ｊとがそれぞれＴＦＴ１１ｇのゲート電極とソース電極とに接続され、画素電極１１ｈがＴＦＴ１１ｇのドレイン電極に接続されている。そして、ＴＦＴ１１ｇは、ゲート配線１１ｉ及びソース配線１１ｊにそれぞれ供給される各種信号に基づいて駆動され、その駆動に伴って画素電極１１ｈへの電位の供給が制御されるようになっている。このＴＦＴ１１ｇは、ドレイン電極とソース電極とを繋ぐチャネル部を有しているが、このチャネル部を構成する半導体膜として、酸化物半導体材料が用いられていている。チャネル部を構成する酸化物半導体材料は、その電子移動度がアモルファスシリコン材料などに比べると、例えば２０倍〜５０倍程度と高くなっているので、ＴＦＴ１１ｇを容易に小型化して画素電極１１ｈの透過光量（画素の開口率）を極大化することができ、もって高精細化及び低消費電力化などを図る上で好適とされる。画素電極１１ｈは、ゲート配線１１ｉ及びソース配線１１ｊにより囲まれた方形の領域に配されており、ＩＴＯ（Indium Tin Oxide：酸化インジウム錫）或いはＺｎＯ（Zinc Oxide：酸化亜鉛）といった透明電極からなる。なお、本実施形態では、各図面においてゲート配線１１ｉの延在方向がＸ軸方向と、ソース配線１１ｊの延在方向がＹ軸方向と、それぞれ一致するものとされている。
【００２８】
一方、ＣＦ基板１１ａのうちの表示領域ＡＡの内面側には、図２及び図４に示すように、アレイ基板１１ｂ側の各画素電極１１ｈと対向状をなす位置に多数個のカラーフィルタ１１ｋがマトリクス状に並んで設けられている。カラーフィルタ１１ｋは、Ｒ（赤色），Ｇ（緑色），Ｂ（青色）の三色が所定の順で繰り返し並んで配置される。各カラーフィルタ１１ｋ間には、混色を防ぐための格子状の遮光層（ブラックマトリクス）１１ｌが形成されている。遮光層１１ｌは、上記したゲート配線１１ｉ及びソース配線１１ｊと平面に視て重畳する配置とされる。カラーフィルタ１１ｋ及び遮光層１１ｌの表面には、アレイ基板１１ｂ側の画素電極１１ｈと対向するベタ状の対向電極１１ｍが設けられている。また、両基板１１ａ，１１ｂの内面側には、液晶層１１ｅに含まれる液晶分子を配向させるための配向膜１１ｎ，１１ｏがそれぞれ形成されている。なお、当該液晶パネル１１においては、Ｒ，Ｇ，Ｂの３色のカラーフィルタ１１ｋ及びそれらと対向する３つの画素電極１１ｈの組によって表示単位である１つの表示画素が構成されている。表示画素は、Ｒのカラーフィルタ１１ｋを有する赤色画素と、Ｇのカラーフィルタ１１ｋを有する緑色画素と、Ｂのカラーフィルタ１１ｋを有する青色画素と、からなる。これら各色の画素は、液晶パネル１１の板面において行方向（Ｘ軸方向）に沿って繰り返し並べて配されることで、画素群を構成しており、この画素群が列方向（Ｙ軸方向）に沿って多数並んで配されている。
【００２９】
ここで、アレイ基板１１ｂにおける表示領域ＡＡには、図６及び図１１に示すように、各ゲート配線１１ｉにゲート信号（走査信号）を供給することで、各ＴＦＴ１１ｇを順次に走査して選択的に駆動するゲート回路部（走査回路部）ＧＤＭが設けられている。具体的には、ゲート回路部ＧＤＭは、表示領域ＡＡにおいて図６に示すＹ軸方向についての上端位置のゲート配線１１ｉから下端位置のゲート配線１１ｉに至るまでゲート信号を順次に供給するものとされ、それによりＹ軸方向（列方向）に沿って並ぶ多数本のゲート配線１１ｉが順次に走査されるとともに各ゲート配線１１ｉに接続されて１つずつの行をなすＴＦＴ１１ｇ群が順次に一括して選択されてその駆動がなされるようになっている。なお、ゲート回路部ＧＤＭによるＴＦＴ１１ｇの走査方向は、Ｙ軸方向（ソース配線１１ｊの延在方向）と一致していることになる。ゲート回路部ＧＤＭは、ＴＦＴ１１ｇと同じ半導体膜（酸化物半導体材料）をベースとしてアレイ基板１１ｂ上にモノリシックに形成されており、それによりＴＦＴ１１ｇへの出力信号（ゲート信号）の供給を制御するための制御回路を有している。この制御回路には、ゲート信号を所定のタイミングで出力する回路やゲート信号を増幅するためのバッファ回路などが含まれている。この制御回路に有される回路素子には、例えば、チャネル部として半導体膜を用いた図示しない回路用ＴＦＴ（回路用スイッチング素子）などが含まれている。また、制御回路には、ゲート配線１１ｉやソース配線１１ｊと同じ金属膜を用いた図示しない回路用配線部などが含まれている。そして、ゲート回路部ＧＤＭは、表示領域ＡＡのうちＸ軸方向についての略中央の帯状の範囲に存在する各画素に、制御回路（回路用ＴＦＴ及び回路用配線部など）を分散して配置することで設けられている。なお、図６では、一点鎖線により囲んで且つ網掛け状にした縦長で帯状の領域が、ゲート回路部ＧＤＭの形成範囲を表している。具体的には、ゲート回路部ＧＤＭを構成する制御回路は、表示領域ＡＡにおける上記した帯状の範囲においてゲート配線１１ｉとソース配線１１ｊとによって区画される各色の画素内に点在する形で分散配置されている。このように、ゲート回路部ＧＤＭを表示領域ＡＡ内に設けるようにすれば、仮にゲート回路部を非表示領域ＮＡＡに設けるようにした場合に比べると、非表示領域ＮＡＡの額縁幅を狭くすることができ、それにより液晶パネル１１及び液晶表示装置１０の狭額縁化を図ることができる。また、ゲート回路部ＧＤＭが表示領域ＡＡ内に設けられることで、液晶パネル１１の外形を設定する上で自由度が高いものとなる。
【００３０】
液晶パネル１１を構成するＣＦ基板１１ａ及びアレイ基板１１ｂは、図１及び図５に示すように、全体として略円形とされるそれぞれの外周縁部が部分的に直線状に切り欠かれることで、直線状縁部１１ａ１，１１ｂ１を有しており、ＣＦ基板１１ａの方がアレイ基板１１ｂよりも切り欠き幅が広いものとされる。従って、アレイ基板１１ｂの直線状縁部１１ｂ１は、ＣＦ基板１１ａの直線状縁部１１ａ１よりも径方向について外側に突き出す形で配されている。なお、ＣＦ基板１１ａ及びアレイ基板１１ｂにおいて切り欠かれる部分は、それぞれ弓形状をなしている。そして、アレイ基板１１ｂの外周側部分である非表示領域ＮＡＡのうち、周方向について直線状縁部１１ｂ１の配置と実質的に整合する位置には、図５及び図６に示すように、表示に係る各種信号を供給するためのフレキシブル基板（実装部品）２０が実装されるとともに、フレキシブル基板２０側の図示しないフレキシブル基板側端子部（実装部品側端子部）に接続されるパネル側端子部（端子部）２８が設けられている。アレイ基板１１ｂの非表示領域ＮＡＡにおけるフレキシブル基板２０の実装領域及びパネル側端子部２８の形成領域は、平面に視てＣＦ基板１１ａの直線状縁部１１ａ１と、アレイ基板１１ｂの直線状縁部１１ｂ１と、の間に挟み込まれた一定幅の帯状の領域とされる。パネル側端子部２８は、各直線状縁部１１ａ１，１１ｂ１の延在方向に沿って並ぶとともに隣り合うもの同士が間隔を空けて配される複数の単位端子からなるものとされる。アレイ基板１１ｂの非表示領域ＮＡＡには、パネル側端子部２８とソース配線１１ｊとを接続するソース接続配線２９と、パネル側端子部２８とゲート回路部ＧＤＭとを接続するゲート接続配線３０と、が設けられている。これらソース接続配線２９及びゲート接続配線３０の詳しい構成などに関しては後に改めて説明する。なお、図６では、ゲート配線１１ｉ、ソース配線１１ｊ、パネル側端子部２８、ソース接続配線２９、ゲート接続配線３０などの各配線及び各端子部を簡略化して図示しており、その具体的な設置数や配置などは図示以外にも適宜に変更可能である。また、アレイ基板１１ｂの非表示領域ＮＡＡには、上記したソース接続配線２９及びゲート接続配線３０以外にも、例えば対向電極１１ｍに共通電位を供給するための配線などがパネル側端子部２８に接続される形で設けられている。
【００３１】
フレキシブル基板２０は、図５及び図９に示すように、その一端側がアレイ基板１１ｂの非表示領域ＮＡＡのうち周方向について直線状縁部１１ｂ１と実質的に整合する位置に、他端側がバックライト装置１２の裏側に配されたコントロール基板（表示制御基板、信号供給源）２１に、それぞれ接続されるよう、全体として略Ｕ字型をなす形で折り返されている。フレキシブル基板２０は、その幅方向が直線状縁部１１ｂ１の延在方向（Ｘ軸方向）と一致するとともに、その長さ方向が直線状縁部１１ｂ１の延在方向と直交する形でアレイ基板１１ｂの上記位置に実装されている。フレキシブル基板２０は、絶縁性及び可撓性を有する合成樹脂材料（例えばポリイミド系樹脂等）からなるフィルム状の基材３１と、基材３１上に実装されるドライバ（パネル駆動部）３２と、基材３１上に配索形成される多数本の配線パターン（図示せず）と、基材３１における長さ方向についての両端部に設けられる一対のフレキシブル基板側端子部と、を少なくとも有している。このうち、ドライバ３２は、図１１に示すように、コントロール基板２１に有される表示制御回路部から出力される信号に基づいてソース信号（データ信号、画像信号）を生成して出力するソース回路部（データ回路部）を有している。ドライバ３２のソース回路部から出力されたソース信号は、アレイ基板１１ｂのパネル側端子部２８及びソース接続配線２９を介して表示領域ＡＡ内のソース配線１１ｊへと伝送されるようになっている。また、フレキシブル基板２０は、アレイ基板１１ｂのパネル側端子部２８及びゲート接続配線３０と共に、コントロール基板２１に有される表示制御回路部から出力されてアレイ基板１１ｂのゲート回路部ＧＭＤに供給される信号を伝送するものとされる。また、フレキシブル基板側端子部は、パネル側端子部２８のうちのソース接続配線２９に接続されたものに接続される複数のソース用単位端子と、ゲート接続配線３０に接続されたものに接続される複数のゲート用単位端子と、から構成されており、各単位端子がフレキシブル基板２０の一方の端部２０ａにおける幅方向に沿って並んで配されている。このような構成により、信号供給源であるコントロール基板２１に有される表示制御回路部から出力される各種信号に基づいて液晶パネル１１の表示領域ＡＡ内のＴＦＴ１１ｇが駆動されて画像の表示が制御されるようになっている。
【００３２】
ここで、上記したように、液晶パネル１１の直線状縁部１１ａ１，１１ｂ１とパネル側端子部２８とが互いに並行する構成とされているので、フレキシブル基板２０をアレイ基板１１ｂに実装するに際しての位置合わせの基準として、直線状縁部１１ａ１，１１ｂ１を利用することが可能とされる。具体的には、例えば、実装されるフレキシブル基板２０のフレキシブル基板側端子部の、直線状縁部１１ａ１，１１ｂ１に対する平行度が一定以上であれば、フレキシブル基板側端子部とパネル側端子部２８とが適切に位置合わせされることになることから、フレキシブル基板２０の実装に際しては、図示しない位置決めピンをアレイ基板１１ｂの直線状縁部１１ｂ１に当接させて液晶パネル１１を固定化した状態でフレキシブル基板２０をセットし、フレキシブル基板２０のアレイ基板１１ｂ側の端縁と直線状縁部１１ａ１，１１ｂ１との平行度を一定以上に確保した状態でフレキシブル基板２０の実装を行うようにすれば、フレキシブル基板側端子部とパネル側端子部２８とが適切に位置合わせされた状態で接続される。
【００３３】
続いて、バックライト装置１２の構成について説明する。バックライト装置１２は、全体として液晶パネル１１と同様に平面に視て略円形の略ブロック状をなしている。バックライト装置１２は、図１及び図７に示すように、液晶パネル１１側に向けて開口した略箱型をなすシャーシ（筐体）１３と、光源である複数のＬＥＤ（Light Emitting Diode：発光ダイオード）１７と、複数のＬＥＤ１７が実装されたＬＥＤ基板（光源基板）１８と、シャーシ１３に対して表側に重ねられるとともにＬＥＤ１７からの光を導光する導光板１４と、導光板１４に対して表側（出光側）に重ねられるとともに導光板１４からの出射光に光学作用を付与して液晶パネル１１へと出射させるための複数の光学シート１５と、シャーシ１３と導光板１４との間に挟み込まれる形で重ねられて導光板１４側に向けて光を反射する反射シート１６と、を少なくとも備える。このバックライト装置１２は、ＬＥＤ１７からの光を、導光板１４、光学シート１５、及び反射シート１６の光学作用により面状の光に変換しつつシャーシ１３の開口部位から表側の液晶パネル１１に向けて出射するものとされる。つまり、バックライト装置１２に対して表側が出光側とされる。以下、バックライト装置１２の構成部品について順次に説明する。なお、各図面に示すＺ軸方向は、導光板１４、光学シート１５、及び反射シート１６の板面の法線方向と一致するとともに、シャーシ１３、導光板１４、光学シート１５、及び反射シート１６の重なり方向と一致している。
【００３４】
シャーシ１３は、合成樹脂材料または金属材料からなり、図７及び図８に示すように、平面形状が略円形をなすとともに表側に向けて開口した略箱型（有底略円筒形）をなすことで、その内部にＬＥＤ基板１８、導光板１４、光学シート１５、及び反射シート１６を収容するものとされる。シャーシ１３は、全体として液晶パネル１１などと同様に平面に視て（Ｚ軸方向から視て）略円形状をなしている。シャーシ１３は、略円形状とされる底壁部１３ａと、底壁部１３ａにおける外周端部から表側に向けて立ち上がる側壁部１３ｂと、からなる。底壁部１３ａは、その板面が導光板１４、光学シート１５、反射シート１６、及び液晶パネル１１の各板面に並行しており、シャーシ１３内に収容される導光板１４、光学シート１５、及び反射シート１６を裏側から支持するものとされる。側壁部１３ｂは、シャーシ１３内に収容される導光板１４、光学シート１５、反射シート１６、及びＬＥＤ基板１８（ＬＥＤ１７）を外周側から取り囲む形で配されることで、全体として略円環状（略円形の枠状）をなしている。また、側壁部１３ｂの先端部には、液晶パネル１１をバックライト装置１２に固定するためのパネル固定テープ１９の外周端部における裏側の面が固着される。このパネル固定テープ１９は、基材の両面が粘着面とされた両面テープとされており、側壁部１３ｂと後述する光学シート１５（具体的には後述する第２レンズシート１５ｃ）とに跨る形で両者と液晶パネル１１とに固着される。
【００３５】
ＬＥＤ１７は、図７及び図８に示すように、ＬＥＤ基板１８の板面に固着される基板部上に半導体発光素子であるＬＥＤチップ（ＬＥＤ素子）を樹脂材により封止した構成とされる。このＬＥＤ１７は、図示しないアノード端子及びカソード端子を有しており、これらの間に順バイアスとなる直流電流が流されることで、ＬＥＤチップが発光するようになっている。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色（例えば緑色、赤色、黄色など）を発光する蛍光体が分散配合されており、ＬＥＤ１７全体としては概ね白色光を発するものとされる。このＬＥＤ１７は、ＬＥＤ基板１８に対する実装面に隣接する側面が発光面１７ａとされる、いわゆる側面発光型とされている。このＬＥＤ１７の高さ寸法は、後述する導光板１４の厚み寸法よりも小さなものとされており、具体的には例えば０．４ｍｍ程度とされる。このＬＥＤ１７における光軸は、発光面１７ａに対する法線方向に並行している。なお、ここで言う「光軸」とは、ＬＥＤ１７からの発光光（配光分布）のうち発光強度が最も高い光の進行方向である。
【００３６】
ＬＥＤ基板１８は、図８及び図１０に示すように、絶縁材料（例えば例えばポリイミド系樹脂等）からなるとともに可撓性を有するフィルム状（シート状）をなしており、その板面がシャーシ１３の底壁部１３ａなどの板面に並行していて、外形が略円形状をなしている。ＬＥＤ基板１８は、導光板１４、光学シート１５、及び反射シート１６の周方向に沿って延在する無端環状をなす基板本体１８ａと、基板本体１８ａから部分的に径方向に沿って外側に引き出される引き出し部１８ｂと、から構成される。無端の円環状をなす基板本体１８ａは、その内径寸法が導光板１４及び反射シート１６の外径寸法よりも小さく且つ外径寸法が反射シート１６の外径寸法と同等程度とされるとともに、導光板１４の外周端部に対して表側に重なる形で配されている。基板本体１８ａは、その表側に重なる光学シート１５（具体的には後述する拡散シート１５ａ）に対して図示しない固着材を介して固着されている。この固着材としては、両面テープや接着剤を用いることができる。また、基板本体１８ａには、実装された各ＬＥＤ１７に対して給電するための配線部（図示せず）がパターニングされている。なお、ここで言う「径方向」は、円形状または円環状をなすもの（導光板１４やＬＥＤ基板１８など）の中心からの距離が変化する方向であるのに対し、「周方向」は、同中心からの距離が変化しない方向である。
【００３７】
ＬＥＤ基板１８の基板本体１８ａにおける表裏両板面のうち、裏側の板面には、図８及び図１０に示すように、複数のＬＥＤ１７が実装されており、各ＬＥＤ１７の各端子が半田付けされることで機械的接続及び電気的接続が図られている。ＬＥＤ１７は、基板本体１８ａにおいてその周方向に沿って複数が円環状（環状で且つ曲線状）に並ぶとともに周方向について間隔を空けた形で配列されている。詳しくは、基板本体１８ａには、合計で１２個のＬＥＤ１７が周方向について概ね等しい間隔を空けて配されており、周方向について隣り合うＬＥＤ１７の間の角度間隔が約３０度程度とされている。このように、複数のＬＥＤ１７が周方向について等間隔に配列されているので、各ＬＥＤ１７から導光板１４に入射される光が周方向について均等化され、もってバックライト装置１２の出射光に輝度ムラが生じ難くなっている。ＬＥＤ基板１８の基板本体１８ａにおいて周方向について隣り合うＬＥＤ１７の間の距離は、基板本体１８ａの外形または内形の中心位置からＬＥＤ１７に至るまでの距離である半径を「ｒ」とし、円周率を「π」とし、ＬＥＤ１７の設置数を「ｎ」としたとき、「２πｒ／ｎ」によって近似的に求められる。各ＬＥＤ１７は、基板本体１８ａの外形または内形の中心に関して点対称となる配置とされる。また、各ＬＥＤ１７は、それぞれの発光面１７ａが全て導光板１４の中心（基板本体１８ａの外形または内形の中心）を指向しており、各光軸が導光板１４の中心にて交差するものとされる。
【００３８】
基板本体１８ａは、図１０に示すように、ＬＥＤ１７が実装されるＬＥＤ実装部（光源実装部）２２と、ＬＥＤ１７が実装されずに周方向について隣り合うＬＥＤ実装部２２の間に配されるＬＥＤ間部（光源間部）２３と、に周方向について区分されている。ＬＥＤ実装部２２は、周方向についての寸法が、ＬＥＤ１７の幅寸法と等しいものとされる。つまり、基板本体１８ａのうち周方向についてのＬＥＤ１７の実装範囲が、ＬＥＤ実装部２２とされている。ＬＥＤ間部２３は、周方向についての寸法が、周方向について隣り合うＬＥＤ１７の間の間隔と等しいものとされており、ＬＥＤ実装部２２の周方向についての寸法よりも大きなものとされる。つまり、基板本体１８ａのうち周方向についてのＬＥＤ１７の非実装領域が、ＬＥＤ間部２３とされている。しかも、ＬＥＤ間部２３における周方向についての寸法は、フレキシブル基板２０の幅寸法よりも僅かに大きなものとされている。基板本体１８ａは、ＬＥＤ実装部２２とＬＥＤ間部２３とが周方向について交互に繰り返し連なる構成とされており、ＬＥＤ実装部２２及びＬＥＤ間部２３の数が、それぞれＬＥＤ１７の実装数と等しくなっている。また、配線部は、基板本体１８ａにおいてはＬＥＤ実装部２２とＬＥＤ間部２３とに跨る形で周方向に沿って配索形成されている。
【００３９】
引き出し部１８ｂは、図１０に示すように、基板本体１８ａのうち、周方向について特定のＬＥＤ実装部２２に連ねられており、その連なるＬＥＤ実装部２２から径方向に沿ってほぼ真っ直ぐに外側に向けて延在する形態とされている。引き出し部１８ｂには、基板本体１８ａの配線部に連なる引き出し配線部（図示せず）が設けられている。また、引き出し部１８ｂの延在方向についての先端部には、引き出し配線部に連なる端子部（図示せず）が露出する形で設けられている。この引き出し部１８ｂは、シャーシ１３の底壁部１３ａに部分的に形成された開口部（図示せず）を通してバックライト装置１２の外部に引き出されている。この開口部を通された引き出し部１８ｂは、シャーシ１３の裏側に配置された図示しないＬＥＤ駆動回路基板に接続されるようになっている。
【００４０】
導光板１４は、図１及び図８に示すように、合成樹脂製（例えばＰＭＭＡなどのアクリル樹脂製）とされるとともに、シャーシ１３の底壁部１３ａと同様に平面に視て略円形状をなしており、その外径寸法がシャーシ１３の底壁部１３ａよりも一回り小さなものとされる。つまり、導光板１４は、ＬＥＤ基板１８において円環状に並ぶＬＥＤ１７の配列に倣う外形を有している、と言える。導光板１４は、シャーシ１３内において側壁部１３ｂによりその周りが取り囲まれた形で収容されるとともに、液晶パネル１１及び光学シート１５の直下位置に配されている。導光板１４の外周端面は、ＬＥＤ１７と対向状をなすＬＥＤ対向部（光源対向部）と、ＬＥＤ１７とは対向しないＬＥＤ非対向部（光源非対向部）と、に区分されるが、このうちのＬＥＤ対向部が、ＬＥＤ１７からの光が直接的に入射される光入射面１４ａを構成している。これに対し、ＬＥＤ非対向部は、ＬＥＤ１７からの光が直接的に入射されることが殆どない非入光面１４ｄとされている。導光板１４の外周端面には、その周方向について交互に光入射面１４ａと非入光面１４ｄとが繰り返し並ぶ形で配されており、その間の周方向についての角度間隔はＬＥＤ基板１８において周方向について隣り合うＬＥＤ１７の間の角度間隔に準ずるものとなっている。また、光入射面１４ａは、導光板１４の外周端面における周方向についての形成範囲が、ＬＥＤ１７の幅寸法と概ね等しくされるとともに、非入光面１４ｄの同形成範囲よりも狭いものとされる。また、この導光板１４の厚み寸法は、既述したＬＥＤ１７の高さ寸法よりも大きなものとされており、具体的には例えば０．６ｍｍ程度とされる。なお、本実施形態では、ＬＥＤ非対向部のことを「非入光面１４ｄ」として説明しているが、光が全く入射しないことまでを意味するものではなく、例えば非入光面１４ｄから一旦外側に漏れ出した光が側壁部１３ｂによって反射されて戻された場合にはその戻される光が非入光面１４ｄに入射する場合もあり得る。
【００４１】
一方、導光板１４における表裏一対の板面のうち、表側（液晶パネル１１側）を向いた板面は、図８に示すように、光を液晶パネル１１に向けて出射させる光出射面１４ｂとされている。これに対して、導光板１４における裏側（反射シート１６側、底壁部１３ａ側）を向いた板面は、光出射面１４ｂとは反対側の反対板面（反射シート側板面）１４ｃとされている。このような構成によれば、ＬＥＤ１７と導光板１４との並び方向と、光学シート１５（液晶パネル１１）と導光板１４との並び方向と、が互いに直交するものとされる。そして、導光板１４は、各ＬＥＤ１７から発せられた光を各光入射面１４ａから導入するとともに、その光を内部で伝播させつつ光学シート１５側（表側、光出射側）へ向くよう立ち上げて表側の板面である光出射面１４ｂから出射させる機能を有している。この導光板１４の反対板面１４ｃには、導光板１４内の光を光出射面１４ｂに向けて反射させることで光出射面１４ｂから出射を促すための光反射部からなる光反射パターン（図示せず）が形成されている。この光反射パターンを構成する光反射部は、多数の光反射ドットからなるものとされており、その分布密度が光入射面１４ａ（ＬＥＤ１７）からの距離に応じて変化するものとされる。具体的には、光反射部を構成する光反射ドットの分布密度は、導光板１４の径方向に関しては光入射面１４ａから遠ざかるほど高くなり、光入射面１４ａに近づくほど低くなる傾向であって導光板１４の中心位置にて最も高くなり且つ導光板１４の外周端位置にて最も低くなる。これに対し、光反射ドットの分布密度は、導光板１４の周方向に関しては導光板１４のうち非入光面１４ｄの中央位置（隣り合う光入射面１４ａの中間位置）にて最も高くなり光入射面１４ａの中央位置（隣り合う非入光面１４ｄの中間位置、ＬＥＤ１７の発光面１７ａの垂線上）にて最も低くなるものとされる。このように光反射パターンの光学設計が最適化されることで、導光板１４の光出射面１４ｂからの出射光に係る輝度均一性が良好なものとなる。
【００４２】
光学シート１５は、図１，図７及び図８に示すように、導光板１４と同様に平面に視て略円形状をなしており、その外径寸法が導光板１４よりも僅かに大きなものとされる。光学シート１５は、導光板１４の光出射面１４ｂの表側に載せられていて液晶パネル１１と導光板１４との間に介在して配されることで、導光板１４からの出射光を透過するとともにその透過光に所定の光学作用を付与しつつ液晶パネル１１に向けて出射させるものとされる。本実施形態に係る光学シート１５は、１枚の拡散シート１５ａと、２枚のレンズシート１５ｂ，１５ｃ（第１レンズシート１５ｂ及び第２レンズシート１５ｃ）と、の合計３枚からなる。このうち、拡散シート１５ａは、ほぼ透明な合成樹脂製の基材中に光を拡散させるための拡散粒子を多数分散配合した構成とされている。拡散シート１５ａは、導光板１４の真上に重ねられており、光学シート１５の中で最も導光板１４の近くに配されている。
【００４３】
２枚のレンズシート１５ｂ，１５ｃは、図１及び図８に示すように、ほぼ透明な合成樹脂製の基材における一方の板面に多数の単位レンズを設けてなるものとされる。２枚のレンズシート１５ｂ，１５ｃのうち、拡散シート１５ａの真上に重ねられるものが第１レンズシート１５ｂとされ、その真上に重ねられるとともに最も液晶パネル１１の近くに配されるものが第２レンズシート１５ｃとされる。第１レンズシート１５ｂは、同板面に並行する第１の方向に沿って延在する単位レンズを、第１の方向と直交する第２の方向に沿って多数並ぶ形で配置してなるものとされ、出射光には単位レンズの並び方向である第２の方向について選択的に集光作用（異方性集光作用）を付与するものとされる。第２レンズシート１５ｃは、同板面に並行する第２の方向に沿って延在する単位レンズを、第２の方向と直交する第１の方向に沿って多数並ぶ形で配置してなるものとされ、出射光には単位レンズの並び方向である第１の方向について選択的に集光作用を付与するものとされる。このように、第１レンズシート１５ｂと、第２レンズシート１５ｃと、は、互いに単位レンズの延在方向及び並び方向がそれぞれ直交する関係となっている。また、第２レンズシート１５ｃにおける外周端部には、パネル固定テープ１９の裏側の面が固着される。なお、各図面に示すＸ軸方向は、第１レンズシート１５ｂの単位レンズの延在方向（第１の方向）と一致するのに対し、Ｙ軸方向は、第２レンズシート１５ｃの単位レンズの延在方向（第２の方向）と一致するものとされており、特に図１では各レンズシート１５ｂ，１５ｃの各単位レンズを、Ｘ軸方向またはＹ軸方向に並行するストライプ状の縞によって図示している。
【００４４】
反射シート１６は、図１及び図８に示すように、導光板１４のうち、裏側、つまり光出射面１４ｂとは反対側の反対板面１４ｃを覆う形で配されている。この反射シート１６は、表面が光反射性に優れた白色を呈する合成樹脂製のシート材からなるものとされるので、導光板１４内を伝播して反対板面１４ｃから出射した光を表側（光出射面１４ｂ）に向けて効率的に立ち上げることができる。反射シート１６は、導光板１４及び光学シート１５と同様に平面に視て略円形状をなしており、その外径寸法が導光板１４よりも大きなものとされる。反射シート１６は、その中央側の大部分が導光板１４とシャーシ１３の底壁部１３ａとの間に挟み込まれる形で配されている。反射シート１６の外周端部は、導光板１４の外周端面よりも外側に延出しており、特に光入射面１４ａからＬＥＤ１７側に延出する部分によりＬＥＤ１７からの光を効率的に反射して光入射面１４ａに入射させることができる。
【００４５】
ところで、近年では、液晶パネル１１の表示領域ＡＡにて表示される表示画像の高精細化が進行し、それに伴って表示領域ＡＡ内の配線数が増加する傾向にあることから、アレイ基板１１ｂのパネル側端子部２８の形成範囲が広くなるとともにフレキシブル基板２０の幅も広くなる傾向にある。このようになると、アレイ基板１１ｂの非表示領域ＮＡＡにおけるパネル側端子部２８の形成領域及びフレキシブル基板２０の実装領域も広くなることから、非表示領域ＮＡＡの額縁幅を広くせざるを得なくなるとともに、液晶パネル１１及び液晶表示装置１０の外形が大型化せざるを得なくなっていた。
【００４６】
そこで、本実施形態に係る液晶表示装置１０では、液晶パネル１１のアレイ基板１１ｂの外周側部分である非表示領域ＮＡＡには、図５及び図６に示すように、その外周縁部に複数の直線状縁部１１ｂ１が設けられるとともに、周方向について各直線状縁部１１ｂ１と実質的に整合する形で複数のフレキシブル基板２０が実装されるようになっている。本実施形態では、直線状縁部１１ｂ１の設置数と、フレキシブル基板２０の実装数と、が同数となっており、具体的には２つ（偶数）となっている。このようにすれば、仮に直線状縁部及びフレキシブル基板を１つずつとした場合に比べると、各フレキシブル基板２０の個々の幅（大きさ）を約半分と小さくすることができるとともに、各直線状縁部１１ｂ１の個々の長さを約半分と短くすることができる。これにより、液晶パネル１１の外周側部分である非表示領域ＮＡＡの幅、つまり額縁幅を狭くすることができるので、液晶表示装置１０の狭額縁化を図る上で好適とされるとともに大型化の抑制を図る上で好適となる。
【００４７】
詳しくは、２つのフレキシブル基板２０は、図５及び図６に示すように、液晶パネル１１をソース配線１１ｊ（Ｙ軸方向）に並行する第１中心線（中心線）ＣＬ１によって半割する形で区分したとき、両側の領域に分散される形でそれぞれ実装されており、これら各フレキシブル基板２０が接続される各パネル側端子部２８及び各直線状縁部１１ａ１，１１ｂ１の配置も同様とされている。具体的には、２つのフレキシブル基板２０は、液晶パネル１１を第１中心線ＣＬ１によって第１半割領域ＨＡ１と第２半割領域ＨＡ２とに区分したとき、第１半割領域ＨＡ１に実装されてそこのソース配線１１ｊに接続される第１フレキシブル基板（第１実装部品）２０Ａと、第２半割領域ＨＡ２に配されてそこのソース配線１１ｊに接続される第２フレキシブル基板（第２実装部品）２０Ｂと、から構成されている。そして、ソース接続配線２９は、第１半割領域ＨＡ１に配されてそこのソース配線１１ｊと第１フレキシブル基板２０Ａとを接続する第１ソース接続配線（第１ソース接続配線）２９Ａと、第２半割領域ＨＡ２に配されてそこのソース配線１１ｊと第２フレキシブル基板２０Ｂとを接続する第２ソース接続配線（第２ソース接続配線）２９Ｂと、から構成されている。なお、フレキシブル基板２０及びソース接続配線２９を区別する場合には、第１フレキシブル基板及び第１ソース接続配線の符号に添え字Ａを、第２フレキシブル基板及び第２ソース接続配線の符号に添え字Ｂを付し、区別せずに総称する場合には、符号に添え字を付さないものとする。また、本実施形態では、液晶パネル１１のうち、第１中心線ＣＬ１に対して図５及び図６に示す左側の領域が第１半割領域ＨＡ１とされるのに対し、図５及び図６に示す右側の領域が第２半割領域ＨＡ２とされる。
【００４８】
このように、第１半割領域ＨＡ１と第２半割領域ＨＡ２とにそれぞれ配した第１フレキシブル基板２０Ａと第２フレキシブル基板２０Ｂとに、第１半割領域ＨＡ１に配されるＴＦＴ１１ｇ及びソース配線１１ｊと、第２半割領域ＨＡ２に配されるＴＦＴ１１ｇ及びソース配線１１ｊと、をそれぞれ分担させているので、表示領域ＡＡの各ＴＦＴ１１ｇに表示のためのソース信号を効率的に供給することができる。より詳しくは、第１フレキシブル基板２０Ａは、第１半割領域ＨＡ１に配されるＴＦＴ１１ｇ及びソース配線１１ｊを分担していてそのソース配線１１ｊに対して第１ソース接続配線２９Ａにより接続されているのに対し、第２フレキシブル基板２０Ｂは、第２半割領域ＨＡ２に配されるＴＦＴ１１ｇ及びソース配線１１ｊを分担していてそのソース配線１１ｊに対して第２ソース接続配線２９Ｂにより接続されているので、仮に第１フレキシブル基板及び第２フレキシブル基板が、第１半割領域ＨＡ１に配されたソース配線１１ｊと、第２半割領域ＨＡ２に配されたソース配線１１ｊと、にそれぞれ分け隔て無く接続された場合に比べると、第１ソース接続配線２９Ａ及び第２ソース接続配線２９Ｂの延面距離が短くて済むとともにその配索経路が複雑化し難くなる。第１ソース接続配線２９Ａ及び第２ソース接続配線２９Ｂの延面距離が短くなれば、ソース配線１１ｊへのソース信号の供給が効率化されてソース信号に鈍りなどが生じ難くなり、もって表示品位が高いものとなる。また、第１ソース接続配線２９Ａ及び第２ソース接続配線２９Ｂの配索経路が複雑化し難くなることで、非表示領域ＮＡＡの額縁幅をより狭く上でも好適となる。
【００４９】
さらには、第１フレキシブル基板２０Ａ及び第２フレキシブル基板２０Ｂは、図５及び図６に示すように、液晶パネル１１を、ソース配線１１ｊ及び第１中心線ＣＬ１（Ｙ軸方向）と直交する第２中心線（第２の中心線）ＣＬ２によって半割する形で区分したとき、片側（図５に示す下側）の領域に集約される形で配されており、これら各フレキシブル基板２０Ａ，２０Ｂが接続される各パネル側端子部２８及び各直線状縁部１１ａ１，１１ｂ１の配置も同様とされている。これに対し、ソース接続配線２９は、いずれもソース配線１１ｊの一方の端部１１ｊ１と、パネル側端子部２８と、を接続する形で配されている。ソース配線１１ｊのうち、ソース接続配線２９に接続される一方の端部１１ｊ１は、第２中心線ＣＬ２に対して各フレキシブル基板２０Ａ，２０Ｂ側（図６に示す下側）の端部１１ｊ１となっている。詳しくは、ソース接続配線２９は、パネル側端子部２８から表示領域ＡＡに近づくよう延びてから屈曲されて表示領域ＡＡの周方向に沿って各フレキシブル基板２０Ａ，２０Ｂの中心から離れるよう外向きに拡がるよう略円弧状をなしつつ延在し、接続対象となるソース配線１１ｊとＸ軸方向の配置が一致する位置にて屈曲されてからＹ軸方向に沿って延在し、接続対象であるソース配線１１ｊにおける上記した一方の端部１１ｊ１に接続されている。そして、ゲート接続配線３０は、ゲート回路部ＧＤＭのうちの第２中心線ＣＬ２に対して各フレキシブル基板２０Ａ，２０Ｂ側とは反対側（図６に示す上側）の端部と、パネル側端子部２８と、を接続する形で配されている。つまり、ゲート接続配線３０は、ゲート回路部ＧＤＭに対してソース配線１１ｊにおける他方の端部１１ｊ２側（ソース接続配線２９に接続される側の端部１１ｊ１とは反対側）から接続されている。詳しくは、ゲート接続配線３０は、パネル側端子部２８に含まれる単位端子のうちの第１中心線ＣＬ１から最も遠い単位端子に接続されており、そこから表示領域ＡＡの周方向に沿って各フレキシブル基板２０Ａ，２０Ｂから離れるよう延びてそのまま第２中心線ＣＬ２を超えて第１中心線ＣＬ１に近づくよう略円弧状をなしつつ延在し、接続対象となるゲート回路部ＧＤＭとＸ軸方向の配置が一致する位置にて屈曲されてからＹ軸方向に沿って延在し、接続対象のゲート回路部ＧＤＭに対してソース配線１１ｊの他方の端部１１ｊ２側から接続されている。また、ソース接続配線２９は、ソース配線１１ｊと同じ金属膜からなるのに対し、ゲート接続配線３０は、ゲート配線１１ｉと同じ金属膜からなるものとされる。また、各パネル側端子部２８を構成する単位端子の設置数は、ソース接続配線２９の総数にゲート接続配線３０の本数を足し合わせた数よりも多い数とされる。
【００５０】
このような構成によれば、非表示領域ＮＡＡにおいてソース接続配線２９とゲート接続配線３０とが第２中心線ＣＬ２を挟んだ両側に分散して配置されるので、非表示領域ＮＡＡをさらに狭くすることができ、もって狭額縁化を図る上でさらに好適とされる。しかも、２つのフレキシブル基板２０Ａ，２０Ｂがソース配線１１ｊのうちソース接続配線２９が接続される一方の端部１１ｊ１の近くに配されているので、各ソース接続配線２９の延面距離が短く済み、ソース配線１１ｊにより伝送される信号に鈍りが生じ難いものとなる。なお、ゲート接続配線３０は、ソース接続配線２９よりも延面距離が相対的に長くなるものの、ゲート接続配線３０によって伝送される信号は、ゲート回路部ＧＤＭによって例えば増幅などすることが可能とされるので、鈍りなどの問題が生じ難いものとされる。
【００５１】
続いて、液晶パネル１１の非表示領域ＮＡＡにおける第１フレキシブル基板２０Ａ及び第２フレキシブル基板２０Ｂのより詳しい配置について説明する。第１フレキシブル基板２０Ａ及び第２フレキシブル基板２０Ｂは、図５に示すように、第１中心線ＣＬ１に関して線対称となる配置とされる。言い換えると、第１フレキシブル基板２０Ａは、幅方向についての中心が、第１半割領域ＨＡ１におけるＸ軸方向（ソース配線１１ｊ及び第１中心線ＣＬ１と直交する方向、ゲート配線１１ｉ及び第２中心線ＣＬ２の延在方向）についての中心と実質的に整合する形で配されているのに対し、第２フレキシブル基板２０Ｂは、幅方向についての中心が、第２半割領域ＨＡ１におけるＸ軸方向についての中心と実質的に整合する形で配されている。なお、ここで言う「各フレキシブル基板２０における幅方向についての中心」とは、各フレキシブル基板２０の一方の端部２０ａにおいて幅方向に沿って並ぶ複数のソース用単位端子からなるソース用単位端子群の中心のことである。従って、ソース用単位端子群を構成するソース用単位端子の数が例えば偶数であれば、フレキシブル基板２０における幅方向についての中心に対して一方側に配されるソース用単位端子の数と、同中心に対して他方側に配されるソース用単位端子の数と、が同数となるものとされる。また、各直線状縁部１１ａ１，１１ｂ１は、その延在方向についての中心が、各フレキシブル基板２０Ａ，２０Ｂにおける幅方向についての中心とほぼ一致する配置とされているので、各直線状縁部１１ａ１，１１ｂ１における延在方向についての中心が、各半割領域ＨＡ１，ＨＡ２におけるＸ軸方向についての中心と実質的に整合する配置とされている。より具体的には、第１フレキシブル基板２０Ａ及び第２フレキシブル基板２０Ｂは、それらの幅方向についての中心（各直線状縁部１１ａ１，１１ｂ１における延在方向についての中心）と、液晶パネル１１の中心Ｃと、を結ぶ線分と、第１中心線ＣＬ１とがなす中心角が約３０度程度とされている。このようにして得られる中心角は、液晶パネル１１の外周縁部のうち、各フレキシブル基板２０Ａ，２０Ｂと周方向について実質的に整合する位置に配された各直線状縁部１１ａ１，１１ｂ１が第２中心線ＣＬ２（Ｘ軸方向）に対してなす角度（約３０度程度）とほぼ等しいものとされる。また、第１フレキシブル基板２０Ａ及び第２フレキシブル基板２０Ｂは、第１フレキシブル基板２０Ａの幅方向についての中心と、第２フレキシブル基板２０Ｂの幅方向についての中心と、液晶パネル１１の中心Ｃと、を結んで得られる中心角が、約６０度程度とされる。このようにして得られる中心角は、液晶パネル１１の外周縁部のうち、各フレキシブル基板２０Ａ，２０Ｂと周方向について実質的に整合する位置に配された各直線状縁部１１ａ１，１１ｂ１が第２中心線ＣＬ２（Ｘ軸方向）に対してなす角度を足し合わせて得られる角度とほぼ等しいものとされる。
【００５２】
このような構成によれば、アレイ基板１１ｂの非表示領域ＮＡＡにおける各フレキシブル基板２０Ａ，２０Ｂの実装位置（パネル側端子部２８の位置）が、各半割領域ＨＡ１，ＨＡ２に配される各ソース配線１１ｊにおけるＸ軸方向についての配置範囲の略中央になって片側に偏在することが避けられるので、各フレキシブル基板２０Ａ，２０Ｂから各半割領域ＨＡ１，ＨＡ２に配される各ソース配線１１ｊの一方の端部１１ｊ１に至るまで引き回される複数のソース接続配線２９が、各フレキシブル基板２０Ａ，２０Ｂの幅方向についての中心に対して両側に均等化された形で配される。これにより、非表示領域ＮＡＡを一層狭くすることができ、狭額縁化を図る上で一層良好なものとなる。
【００５３】
ところで、上記のようにして配される２つのフレキシブル基板２０は、液晶パネル１１側とは反対側の端部がバックライト装置１２の背面側に配されたコントロール基板２１に接続されている。このため、仮にフレキシブル基板が、バックライト装置１２の径方向についてＬＥＤ１７の外側を通りつつ折り返される構成を採った場合、フレキシブル基板を通す空間の分だけバックライト装置１２の額縁が部分的に広くなる、という問題がある。そこで、本実施形態に係るバックライト装置１２に備えられるＬＥＤ基板１８は、図５，図７及び図１０に示すように、周方向について隣り合うＬＥＤ１７と、液晶パネル１１の中心Ｃと、を結んで得られる中心角が、フレキシブル基板２０のうちの直線状縁部１１ａ１，１１ｂ１の延在方向についての両端位置と、液晶パネル１１の中心Ｃと、を結んで得られる中心角と同じかそれよりも大きくなるよう配されているのに加えて、周方向についてフレキシブル基板２０及び直線状縁部１１ａ１，１１ｂ１と整合する配置とされるＬＥＤ間部２３が、選択的に外縁部が切り欠かれた切り欠きＬＥＤ間部（切り欠き光源間部）２４とされている。そして、この切り欠きＬＥＤ間部２４とシャーシ１３の側壁部１３ｂとの間には、フレキシブル基板２０が通されるフレキシブル基板挿通空間（フレキシブル基板挿通空間）２５が有されるものとされる。ＬＥＤ基板１８のうち、ＬＥＤ間部２３は、ＬＥＤ実装部２２に比べると、ＬＥＤ１７が実装されない分だけスペースに余裕があり、そのため外縁部を切り欠いて側壁部１３ｂとの間にフレキシブル基板挿通空間２５を確保することが可能とされている。この切り欠きＬＥＤ間部２４の径方向についての寸法と、フレキシブル基板挿通空間２５の径方向についての寸法と、を足し合わせると、切り欠きＬＥＤ間部２４以外のＬＥＤ間部２３における径方向についての寸法やＬＥＤ実装部２２の径方向についての寸法とほぼ等しいものとなる。このようにすれば、仮にＬＥＤ実装部２２と側壁部１３ｂとの間にフレキシブル基板挿通空間を配した場合や、外縁部が切り欠かれていないＬＥＤ間部２３と側壁部１３ｂとの間にフレキシブル基板挿通空間を配した場合に比べると、周方向について局所的に額縁が広くなることが避けられて、全周にわたって狭額縁に保たれる。なお、図７では、フレキシブル基板２０を二点鎖線にて図示している。
【００５４】
より詳しくは、ＬＥＤ基板１８において周方向について隣り合うＬＥＤ１７と、液晶パネル１１の中心Ｃと、を結んで得られる中心角は、図１０に示すように、約３０度程度とされるのに対し、フレキシブル基板２０のうちの直線状縁部１１ａ１，１１ｂ１の延在方向についての両端位置と、液晶パネル１１の中心Ｃと、を結んで得られる中心角は、図５に示すように、３０度弱程度とされる。つまり、フレキシブル基板２０は、その幅寸法（長さ方向と直交する方向についての寸法）が周方向について隣り合うＬＥＤ１７の間の距離、つまりＬＥＤ間部２３における周方向についての寸法よりも僅かに小さなものとされている。ＬＥＤ基板１８の基板本体１８ａにおいて周方向について間欠的に並ぶ複数のＬＥＤ間部２３のうち、２つのフレキシブル基板２０と平面に視て重畳する２つのＬＥＤ間部２３は、図１０に示すように、それぞれ外縁部が直線状に切り欠かれた切り欠きＬＥＤ間部２４とされている。切り欠きＬＥＤ間部２４の数は、フレキシブル基板２０の数と同一とされる。２つの切り欠きＬＥＤ間部２４は、第１中心線ＣＬ１と重畳するＬＥＤ間部２３に対して周方向について両側に隣り合う形でそれぞれ配されている。切り欠きＬＥＤ間部２４は、その外縁部が液晶パネル１１の直線状縁部１１ａ１，１１ｂ１（フレキシブル基板２０の板面）に並行する形で直線状に切り欠かれており、その切り欠かれる部分が弓形状をなしている。従って、切り欠きＬＥＤ間部２４は、径方向についての寸法が、周方向について隣り合うＬＥＤ実装部２２に近づくほど大きくなり、逆に同ＬＥＤ実装部２２から遠ざかるほど小さくなるものとされていて、周方向についての中央位置にて最小になるものとされる。切り欠きＬＥＤ間部２４とシャーシ１３の側壁部１３ｂとの間に有されるフレキシブル基板挿通空間２５は、平面に視て弓形状をなしている。切り欠きＬＥＤ間部２４の外縁部における切り欠き範囲（フレキシブル基板挿通空間２５の周方向についての形成範囲）、つまり直線状をなす切り欠き縁部２４ａの長さ寸法は、フレキシブル基板２０の幅寸法よりも広いものとされており、それによりフレキシブル基板２０をその幅方向について折り曲げることなくフレキシブル基板挿通空間２５に通すことが可能とされる。フレキシブル基板挿通空間２５に挿通されたフレキシブル基板２０は、図９に示すように、シャーシ１３の底壁部１３ａのうち、フレキシブル基板挿通空間２５と平面に視て重畳する部分に開口して形成されたシャーシ側開口部２６を通されて、その裏側のコントロール基板２１に接続されるようになっている。
【００５５】
以上説明したように本実施形態の液晶表示装置（表示装置）１０は、実質的に円形とされる外周縁部を部分的に直線状にしてなる直線状縁部１１ａ１，１１ｂ１が複数設けられる液晶パネル（表示パネル）１１と、液晶パネル１１の外周側部分にて周方向について複数の直線状縁部１１ａ１，１１ｂ１の配置と実質的に整合する形で実装される複数のフレキシブル基板（実装部品）２０と、を備える。
【００５６】
このようにすれば、複数のフレキシブル基板２０が、液晶パネル１１の外周縁部を部分的に直線状にしてなる複数の直線状縁部１１ａ１，１１ｂ１における周方向についての配置に実質的に整合する形で液晶パネル１１の外周側部分に実装されているから、各フレキシブル基板２０の個々の大きさを小さくすることができるとともに、各直線状縁部１１ａ１，１１ｂ１の個々の長さを短くすることができる。これにより、液晶パネル１１の外周側部分の幅、つまり額縁幅を狭くすることができるので、当該液晶表示装置１０の狭額縁化を図る上で好適とされるとともに大型化の抑制を図る上で好適となる。また、フレキシブル基板２０の実装に際しては、複数の直線状縁部１１ａ１，１１ｂ１を利用して液晶パネル１１に対する複数のフレキシブル基板２０の位置決めを図ることが可能とされる。
【００５７】
また、液晶パネル１１は、画像を表示する表示領域ＡＡと、外周側部分により構成されて表示領域ＡＡを取り囲む非表示領域ＮＡＡと、に区分され、そのうちの表示領域ＡＡには、マトリクス状に並んで配される複数のＴＦＴ（表示素子）１１ｇと、複数のＴＦＴ１１ｇを順次に走査して選択的に駆動するゲート回路部（走査回路部）ＧＤＭと、が少なくとも設けられている。このようにすれば、仮にゲート回路部を外周側部分により構成される非表示領域ＮＡＡに配置した場合に比べると、非表示領域ＮＡＡをより狭くすることができ、もって狭額縁化を図る上でより好適とされる。
【００５８】
また、液晶パネル１１には、複数のＴＦＴ１１ｇに接続される複数のソース配線（データ線）１１ｊが表示領域ＡＡに、複数のフレキシブル基板２０と複数のソース配線１１ｊの一方の端部１１ｊ１とを接続する複数のソース接続配線（データ接続配線）２９と、複数のフレキシブル基板２０とゲート回路部ＧＤＭとを接続する複数のゲート接続配線（走査接続配線）３０と、が非表示領域ＮＡＡにそれぞれ少なくとも設けられており、複数のフレキシブル基板２０は、ソース配線１１ｊの他方の端部１１ｊ２よりも一方の端部１１ｊ１の近くに配されているのに対し、複数のゲート接続配線３０は、ソース配線１１ｊの他方の端部１１ｊ２側からゲート回路部ＧＤＭに接続されている。このようにすれば、非表示領域ＮＡＡにおいて複数ずつのソース接続配線２９とゲート接続配線３０とが分散して配置されるので、非表示領域ＮＡＡをさらに狭くすることができ、もって狭額縁化を図る上でさらに好適とされる。しかも、複数のフレキシブル基板２０がソース配線１１ｊのうちソース接続配線２９が接続される一方の端部１１ｊ１の近くに配されているので、複数のソース接続配線２９の延面距離が短く済み、ソース配線１１ｊに伝送する信号に鈍りが生じ難いものとなる。なお、ゲート接続配線３０は、ソース接続配線２９よりも延面距離が相対的に長くなるものの、ゲート接続配線３０によって伝送される信号は、ゲート回路部ＧＤＭによって例えば増幅などすることが可能とされるので、鈍りなどの問題が生じ難いものとされる。
【００５９】
また、液晶パネル１１は、画像を表示する表示領域ＡＡと、外周側部分により構成されて表示領域ＡＡを取り囲む非表示領域ＮＡＡと、に区分され、そのうちの表示領域ＡＡには、マトリクス状に並んで配される複数のＴＦＴ１１ｇと、複数のＴＦＴ１１ｇに接続される複数のソース配線１１ｊと、が少なくとも設けられており、液晶パネル１１をソース配線１１ｊに並行する第１中心線（中心線）ＣＬ１によって第１半割領域ＨＡ１と第２半割領域ＨＡ１とに区分したとき、複数のフレキシブル基板２０には、第１半割領域ＨＡ１に配されてそこのソース配線１１ｊに接続される第１フレキシブル基板２０Ａと、第２半割領域ＨＡ１に配されてそこのソース配線１１ｊに接続される第２フレキシブル基板２０Ｂと、が少なくとも含まれている。このようにすれば、第１半割領域ＨＡ１と第２半割領域ＨＡ１とにそれぞれ配した第１フレキシブル基板２０Ａと第２フレキシブル基板２０Ｂとに、第１半割領域ＨＡ１に配されるＴＦＴ１１ｇ及びソース配線１１ｊと、第２半割領域ＨＡ１に配されるＴＦＴ１１ｇ及びソース配線１１ｊと、をそれぞれ分担させることで、表示領域ＡＡの各ＴＦＴ１１ｇに表示のための信号を効率的に供給することができる。
【００６０】
また、液晶パネル１１には、複数のフレキシブル基板２０と複数のソース配線１１ｊの一方の端部１１ｊ１とを接続する複数のソース接続配線２９が非表示領域ＮＡＡに少なくとも設けられており、第１フレキシブル基板２０Ａは、直線状縁部１１ａ１，１１ｂ１の延在方向についての中心が、第１半割領域ＨＡ１におけるソース配線１１ｊと直交する方向についての中心と実質的に整合する形で配されているのに対し、第２フレキシブル基板２０Ｂは、直線状縁部１１ａ１，１１ｂ１の延在方向についての中心が、第２半割領域ＨＡ１におけるソース配線１１ｊと直交する方向についての中心と実質的に整合する形で配されている。このようにすれば、各フレキシブル基板２０から各半割領域ＨＡ１，ＨＡ２に配される各ソース配線１１ｊの一方の端部１１ｊ１に至るまで引き回される複数のソース接続配線２９が、各フレキシブル基板２０の中心に対して両側に均等化された形で配される。これにより、非表示領域ＮＡＡを一層狭くすることができ、狭額縁化を図る上で一層良好なものとなる。
【００６１】
また、液晶パネル１１に光を照射するバックライト装置（照明装置）１２であって、周方向に沿って間隔を空けて並んで配される複数のＬＥＤ（光源）１７と、複数のＬＥＤ１７の光を導光する導光板１４と、を少なくとも有するバックライト装置１２を備えており、複数のＬＥＤ１７は、周方向について隣り合うものと、液晶パネル１１の中心Ｃと、を結んで得られる中心角が、フレキシブル基板２０のうちの直線状縁部１１ａ１，１１ｂ１の延在方向についての両端位置と、液晶パネル１１の中心Ｃと、を結んで得られる中心角と同じかそれよりも大きくなるよう配されている。このようにすれば、平面に視て周方向について隣り合うＬＥＤ１７の間にフレキシブル基板２０が挟まれる形で配されることになる。これにより、複数のＬＥＤ１７を周方向について等間隔に配置することが可能となるので、複数のＬＥＤ１７から導光板１４に入射される光が周方向について均等化され、もって当該バックライト装置１２の出射光に輝度ムラが生じ難くなる。
【００６２】
＜実施形態２＞
本発明の実施形態２を図１２または図１３によって説明する。この実施形態２では、ゲート回路部ＧＤＭの配置を変更したものを示す。なお、上記した実施形態１と同様の構造、作用及び効果について重複する説明は省略する。
【００６３】
本実施形態に係るゲート回路部ＧＤＭは、図１２及び図１３に示すように、液晶パネル１１１のアレイ基板１１１ｂのうち非表示領域ＮＡＡに設けられている。ゲート回路部ＧＤＭを構成する制御回路（回路用ＴＦＴ及び回路用配線部など）は、少なくともその一部が遮光性を有するものであるから、それが全て非表示領域ＮＡＡに配置されることで、表示領域ＡＡにおける光の透過率及び各画素の開口率が高いものとなる。ゲート回路部ＧＤＭは、非表示領域ＮＡＡにおいて表示領域ＡＡの外形に倣って延在することで略半円環状をなしており、Ｙ軸方向についてゲート配線１１１ｉが配置された範囲を網羅する長さを有している。ゲート回路部ＧＤＭは、第１中心線ＣＬ１を挟んで一対設けられており、一方が第１半割領域ＨＡ１に、他方が第２半割領域ＨＡ２に、それぞれ配置されている。各ゲート回路部ＧＤＭには、各ゲート配線１１１ｉの端部が非表示領域ＮＡＡにまで延長されることで接続されており、Ｙ軸方向について隣り合うゲート配線１１１ｉが異なるゲート回路部ＧＤＭに接続されている。詳しくは、Ｙ軸方向について図１２に示す上端側から数えて奇数番目のゲート配線１１１ｉは、図１２に示す右側の端部が第２半割領域ＨＡ２に配されたゲート回路部ＧＤＭに、Ｙ軸方向について図１２に示す上端側から数えて偶数番目のゲート配線１１１ｉは、図１２に示す左側の端部が第１半割領域ＨＡ１に配されたゲート回路部ＧＤＭに、それぞれ接続されている。つまり、ゲート配線１１１ｉは、Ｙ軸方向について交互に異なる端部が異なるゲート回路部ＧＤＭに接続されている、と言える。また、ゲート回路部ＧＤＭは、その一部がソース接続配線１２９と重畳している。また、ゲート接続配線１３０は、ゲート回路部ＧＤＭにおける長さ方向の途中の部分に接続されている。
【００６４】
以上説明したように本実施形態によれば、液晶パネル１１１は、画像を表示する表示領域ＡＡと、外周側部分により構成されて表示領域ＡＡを取り囲む非表示領域ＮＡＡと、に区分され、そのうちの表示領域ＡＡには、マトリクス状に並んで配される複数のＴＦＴが少なくとも設けられるのに対し、非表示領域ＮＡＡには、複数のＴＦＴを順次に走査して選択的に駆動するゲート回路部ＧＤＭが少なくとも設けられている。このようにすれば、仮にゲート回路部が表示領域ＡＡに配される場合に比べると、表示領域ＡＡにおいて実効的に表示に寄与する面積が大きく確保されるので、表示画像に係る輝度などが向上し、もって表示品位が高いものとなる。
【００６５】
＜実施形態３＞
本発明の実施形態３を図１４または図１５によって説明する。この実施形態３では、上記した実施形態１からドライバ２３２の配置を変更したものを示す。なお、上記した実施形態１と同様の構造、作用及び効果について重複する説明は省略する。
【００６６】
本実施形態に係るドライバ２３２は、図１４及び図１５に示すように、液晶パネル２１１のアレイ基板２１１ｂにおける非表示領域ＮＡＡに設けられている。このため、フレキシブル基板２２０には、ドライバ２３２が実装されないものとされる。ドライバ２３２は、アレイ基板２１１ｂの非表示領域ＮＡＡのうち、パネル側端子部２２８と表示領域ＡＡとの間に挟まれた領域に対して直接的にＣＯＧ（Chip On Glass）実装されている。アレイ基板２１１ｂの非表示領域ＮＡＡのうち、ドライバ２３２の実装領域には、ドライバ２３２側の端子部に接続されるドライバ用端子部（図示せず）が設けられるとともに、ドライバ用端子部とパネル側端子部２２８とを接続する中継配線（図示せず）が設けられている。従って、フレキシブル基板２２０により伝送される信号は、パネル側端子部２２８、中継配線、及びドライバ用端子部を介してドライバ２３２に供給されることになる。そして、ドライバ２３２のソース回路部にて生成されたソース信号は、ソース接続配線２２９を介してソース配線２１１ｊに供給されるようになっている。このような構成によれば、ＣＯＧ実装されたドライバ２３２によってより多くのソース信号を出力することができるから、液晶パネル２１１が高精細化した場合に特に有用とされる。
【００６７】
＜実施形態４＞
本発明の実施形態４を図１６によって説明する。この実施形態４では、上記した実施形態１からフレキシブル基板３２０の配置を変更したものを示す。なお、上記した実施形態１と同様の構造、作用及び効果について重複する説明は省略する。
【００６８】
本実施形態に係る２つのフレキシブル基板３２０は、図１６に示すように、第１フレキシブル基板３２０Ａの幅方向（直線状縁部３１１ｂ１の延在方向）についての中心と、第２フレキシブル基板３２０Ｂの幅方向（直線状縁部３１１ｂ１の延在方向）についての中心と、液晶パネル３１１の中心Ｃと、を結んで得られる中心角が、略９０度程度（ほぼ直角）となるよう配置されている。そして、第１フレキシブル基板３２０Ａと周方向について実質的に整合する配置の直線状縁部（第１直線状縁部）３１１ｂ１、及び第２フレキシブル基板３２０Ｂと周方向について実質的に整合する配置の直線状縁部（第２直線状縁部）３１１ｂ１は、それらにおける延在方向についての中心と、液晶パネル３１１の中心Ｃと、を結んで得られる中心角が、略９０度となるよう配置されている。従って、液晶パネル３１１の外周縁部のうち、各フレキシブル基板３２０Ａ，３２０Ｂと周方向について実質的に整合する位置に配された各直線状縁部３１１ｂ１同士がなす角度や各直線状縁部３１１ｂ１が第２中心線ＣＬ２に対してなす角度を足し合わせて得られる角度が、それぞれ略９０度程度になるものとされている。なお、図１６には、アレイ基板３１１ｂの各直線状縁部３１１ｂ１を延長した延長線を二点鎖線にて図示している。このような構成によれば、液晶パネル３１１の非表示領域ＮＡＡにおける周方向についての配置が各フレキシブル基板３２０Ａ，３２０Ｂと実質的に整合する２つの直線状縁部３１１ｂ１における延在方向が互いに直交する関係となる。従って、各フレキシブル基板３２０Ａ，３２０Ｂを実装するに際して、周方向についての配置が各フレキシブル基板３２０Ａ，３２０Ｂと実質的に整合する直線状縁部３１１ｂ１を利用することで、液晶パネル３１１を互いに直交する２方向について位置決めすることが可能となる。これにより、各フレキシブル基板３２０Ａ，３２０Ｂを高い位置精度でもって実装することができる。また、アレイ基板３１１ｂの非表示領域ＮＡＡにおける各フレキシブル基板３２０Ａ，３２０Ｂの実装位置（パネル側端子部３２８の位置）は、第１中心線ＣＬ１により区画される各半割領域ＨＡ１，ＨＡ２に配される各ソース配線３１１ｊにおけるＸ軸方向についての配置範囲の略中央よりも端寄りに偏在することになる。
【００６９】
以上説明したように本実施形態によれば、第１フレキシブル基板３２０Ａと周方向について実質的に整合する配置の直線状縁部３１１ｂ１、及び第２フレキシブル基板３２０Ｂと周方向について実質的に整合する配置の直線状縁部３１１ｂ１は、それらにおける延在方向についての中心と、液晶パネル３１１の中心Ｃと、を結んで得られる中心角が、略９０度となるよう配されている。このようにすれば、複数の直線状縁部３１１ｂ１には、液晶パネル３１１の非表示領域ＮＡＡのうち周方向についての配置が第１フレキシブル基板３２０Ａ及び第２フレキシブル基板３２０Ｂと実質的に整合するものが含まれているが、これらの直線状縁部３１１ｂ１における延在方向が互いに直交する関係となる。従って、第１フレキシブル基板３２０Ａ及び第２フレキシブル基板３２０Ｂを実装するに際して、周方向についての配置が第１フレキシブル基板３２０Ａ及び第２フレキシブル基板３２０Ｂと実質的に整合する直線状縁部３１１ｂ１を利用することで、液晶パネル３１１を互いに直交する２方向について位置決めすることが可能となる。これにより、第１フレキシブル基板３２０Ａ及び第２フレキシブル基板３２０Ｂを高い位置精度でもって実装することができる。
【００７０】
＜実施形態５＞
本発明の実施形態５を図１７によって説明する。この実施形態５では、上記した実施形態１からフレキシブル基板４２０の配置を変更したものを示す。なお、上記した実施形態１と同様の構造、作用及び効果について重複する説明は省略する。
【００７１】
本実施形態に係る２つのフレキシブル基板４２０は、図１７に示すように、第１フレキシブル基板４２０Ａの幅方向（直線状縁部４１１ｂ１の延在方向）についての中心と、第２フレキシブル基板４２０Ｂの幅方向（直線状縁部４１１ｂ１の延在方向）についての中心と、液晶パネル４１１の中心Ｃと、を結んで得られる中心角が、略１８０度程度となるよう配置されており、これら３つの中心同士が第２中心線ＣＬ２によって結ばれるものとされる。つまり、各フレキシブル基板４２０Ａ，４２０Ｂは、互いに長さ方向が並行する形で実装されている。従って、液晶パネル４１１の外周縁部のうち、各フレキシブル基板４２０Ａ，４２０Ｂと周方向について実質的に整合する位置に配された各直線状縁部４１１ｂ１は、互いに並行するとともに第２中心線ＣＬ２に対して直交する関係とされる。そして、ソース接続配線４２９には、ソース配線４１１ｊにおける一方の端部４１１ｊ１に接続されるものと、上記ソース接続配線４２９に一方の端部４１１ｊ１が接続されたソース配線４１１ｊに対して隣り合う配置のソース配線４１１ｊにおける他方の端部４１１ｊ２に接続されるものと、が含まれている。
【００７２】
詳しくは、第１半割領域ＨＡ１に配される第１ソース接続配線４２９Ａには、Ｘ軸方向について第１中心線ＣＬ１側から数えて奇数番目のソース配線４１１ｊにおける一方の端部４１１ｊ１に接続されるものと、Ｘ軸方向について第１中心線ＣＬ１側から数えて偶数番目のソース配線４１１ｊにおける他方の端部４１１ｊ２に接続されるものと、が含まれている。同様に、第２半割領域ＨＡ２に配される第２ソース接続配線４２９Ａには、Ｘ軸方向について第１中心線ＣＬ１側から数えて奇数番目のソース配線４１１ｊにおける一方の端部４１１ｊ１に接続されるものと、Ｘ軸方向について第１中心線ＣＬ１側から数えて偶数番目のソース配線４１１ｊにおける他方の端部４１１ｊ２に接続されるものと、が含まれている。また、ゲート接続配線４３０については、第１半割領域ＨＡ１に配されるものと、第２半割領域ＨＡ２に配されるものと、が第２中心線ＣＬ２を挟んだ両側の領域に分散して配されている。このように、ソース接続配線４２９及びゲート接続配線４３０は、アレイ基板４１１ｂの非表示領域ＮＡＡにおいて第２中心線ＣＬ２を挟んだ両側の領域に分散して配されているので、高精細化に伴ってソース接続配線４２９の数が多くなった場合でも、非表示領域ＮＡＡを狭く保つことができ、もって高精細化及び狭額縁化を図る上で好適となる。
【００７３】
以上説明したように本実施形態によれば、液晶パネル４１１には、複数のフレキシブル基板４２０と複数のソース配線４１１ｊとを接続する複数のソース接続配線４２９が少なくとも非表示領域ＮＡＡに設けられており、第１フレキシブル基板４２０Ａ及び第２フレキシブル基板４２０Ｂは、それらにおける直線状縁部４１１ｂ１の延在方向についての中心と、液晶パネル４１１の中心Ｃと、を結んで得られる中心角が、略１８０度となるよう配されており、複数のソース接続配線４２９には、ソース配線４１１ｊにおける一方の端部４１１ｊ１に接続されるものと、ソース接続配線４２９に一方の端部４１１ｊ１が接続されたソース配線４１１ｊに対して隣り合う配置のソース配線４１１ｊにおける他方の端部４１１ｊ２に接続されるものと、が含まれている。このようにすれば、非表示領域ＮＡＡにおいて複数のソース接続配線４２９が分散して配されることになるから、高精細化に伴ってソース接続配線４２９の数が多くなった場合でも、非表示領域ＮＡＡを狭く保つことができ、もって高精細化及び狭額縁化を図る上で好適となる。
【００７４】
＜実施形態６＞
本発明の実施形態６を図１８によって説明する。この実施形態６では、上記した実施形態５からフレキシブル基板５２０の配置を変更したものを示す。なお、上記した実施形態５と同様の構造、作用及び効果について重複する説明は省略する。
【００７５】
本実施形態に係る２つのフレキシブル基板５２０は、図１８に示すように、液晶パネル５１１のアレイ基板５１１ｂの非表示領域ＮＡＡにおいて、ソース配線５１１ｊと直交する第２中心線（中心線）ＣＬ２を挟んだ両側に分散して配されている。２つのフレキシブル基板５２０は、互いの幅方向についての中心と、液晶パネル５１１の中心Ｃと、が第１中心線ＣＬ１によって結ばれる形で配されている。つまり、本実施形態に係る２つのフレキシブル基板５２０は、上記した実施形態５に記載した２つのフレキシブル基板４２０を９０度回転させた形の配置である、と言える。なお、本実施形態に限っては、液晶パネル５１１のうち、第２中心線ＣＬ２に対して図１８に示す下側の領域が第１半割領域ＨＡ１とされるのに対し、図１８に示す上側の領域が第２半割領域ＨＡ２とされるのに加え、フレキシブル基板５２０及びソース接続配線５２９のうち第１半割領域ＨＡ１に配されるものが第１フレキシブル基板５２０Ａ及び第１ソース接続配線５２９Ａとされるのに対し、第２半割領域ＨＡ２に配されるものが第２フレキシブル基板５２０Ｂ及び第２ソース接続配線５２９Ｂとされる。
【００７６】
第１フレキシブル基板５２０Ａは、第１ソース接続配線５２９Ａによってソース配線５１１ｊにおける一方の端部５１１ｊ１に接続されるのに対し、第２フレキシブル基板５２０Ｂは、第２ソース接続配線５２９Ｂによってソース配線５１１ｊにおける他方の端部５１１ｊ２に接続されている。そして、第１フレキシブル基板５２０Ａに一方の端部５１１ｊ１が接続されたソース配線５１１ｊと、第２フレキシブル基板５２０Ｂに他方の端部５１１ｊ２が接続されたソース配線５１１ｊと、がＸ軸方向について互いに隣り合う配置、つまり交互に並ぶ配置とされている。ソース接続配線５２９には、ソース配線５１１ｊにおける一方の端部５１１ｊ１に接続されるものと、上記ソース接続配線５２９に一方の端部５１１ｊ１が接続されたソース配線５１１ｊに対して隣り合う配置のソース配線５１１ｊにおける他方の端部５１１ｊ２に接続されるものと、が含まれている。詳しくは、第１半割領域ＨＡ１に配される第１ソース接続配線５２９Ａは、Ｘ軸方向について図１８に示す左端から数えて奇数番目（同図に示す右端から数えて偶数番目）のソース配線５１１ｊにおける一方の端部５１１ｊ１に接続されているのに対し、第２半割領域ＨＡ２に配される第２ソース接続配線５２９Ｂは、Ｘ軸方向について図１８に示す左端から数えて偶数番目（同図に示す右端から数えて奇数番目）のソース配線５１１ｊにおける他方の端部５１１ｊ２に接続されている。また、ゲート接続配線５３０は、パネル側端子部５２８における中央の単位端子に接続されるとともにＹ軸方向に沿って延在してゲート回路部ＧＤＭに接続されている。以上のような構成によれば、Ｘ軸方向に沿って並ぶ複数のソース配線５１１ｊが交互に第１フレキシブル基板５２０Ａと第２フレキシブル基板５２０Ｂとに各ソース接続配線５２９Ａ，５２９Ｂによって接続されることになるから、上記第２中心線ＣＬ２に沿う方向についてのソース接続配線５２９の分布密度が低いものとなる。これにより、高精細化を図る上で好適となる。
【００７７】
以上説明したように本実施形態によれば、液晶パネル５１１は、画像を表示する表示領域ＡＡと、外周側部分により構成されて表示領域ＡＡを取り囲む非表示領域ＮＡＡと、に区分され、そのうちの表示領域ＡＡには、マトリクス状に並んで配される複数のＴＦＴと、複数のＴＦＴに接続される複数のソース配線５１１ｊと、が少なくとも設けられるのに対し、非表示領域ＮＡＡには、複数のフレキシブル基板５２０と複数のソース配線５１１ｊとを接続する複数のソース接続配線５２９が少なくとも設けられており、複数のフレキシブル基板５２０は、液晶パネル５１１をソース配線５１１ｊと直交する第２中心線（中心線）ＣＬ２を挟んだ一方側と他方側とに分散して配されているのに対し、複数のソース配線５１１ｊは、第２中心線ＣＬ２に対して一方側に配されたフレキシブル基板５２０に対して一方の端部５１１ｊ１が接続されるものと、第２中心線ＣＬ２に対して他方側に配されたフレキシブル基板５２０に対して他方の端部５１１ｊ２が接続されるものと、が交互に並ぶ形で配される構成となっている。このようにすれば、ソース配線５１１ｊと直交する第２中心線ＣＬ２に対して一方側と他方側とに分散して配される各フレキシブル基板５２０には、複数のソース配線５１１ｊにおける一方の端部５１１ｊ１と他方の端部５１１ｊ２とが交互に接続されることになるから、同第２中心線ＣＬ２に沿う方向についてのソース接続配線５２９の分布密度が低いものとなる。これにより、高精細化を図る上で好適となる。
【００７８】
＜実施形態７＞
本発明の実施形態７を図１９によって説明する。この実施形態７では、上記した実施形態１からフレキシブル基板６２０の設置数を変更したものを示す。なお、上記した実施形態１と同様の構造、作用及び効果について重複する説明は省略する。
【００７９】
本実施形態に係るフレキシブル基板６２０は、図１９に示すように、合計で４つが液晶パネル６１１に実装されており、第１中心線ＣＬ１によって区分される第１半割領域ＨＡ１に配される２つの第１フレキシブル基板６２０Ａと、第２半割領域ＨＡ２に配される２つの第２フレキシブル基板６２０Ｂと、から構成されている。そして、２つずつの第１フレキシブル基板６２０Ａ及び第２フレキシブル基板６２０Ｂは、第１中心線ＣＬ１と直交する第２中心線ＣＬ２を挟んだ両側に分散して配されている。つまり、合計で４つのフレキシブル基板６２０は、互いに直交する２本の中心線ＣＬ１，ＣＬ２によって区分される４つの領域にそれぞれ個別に配されている、と言える。２つずつの第１フレキシブル基板６２０Ａ及び第２フレキシブル基板６２０Ｂは、第２中心線ＣＬ２に関して対称となる位置に配されている。従って、液晶パネル６１１の外周縁部を部分的に切り欠いて形成される直線状縁部６１１ｂ１は、合計で４つ設けられるとともに、その周方向についての配置が、２つずつの第１フレキシブル基板６２０Ａ及び第２フレキシブル基板６２０Ｂと実質的に整合していて第２中心線ＣＬ２に関して対称となる配置となっている。このような構成によれば、第１フレキシブル基板６２０Ａ及び第２フレキシブル基板６２０Ｂの幅寸法及びこれらのアレイ基板６１１ｂの非表示領域ＮＡＡにおける実装領域が上記した実施形態１との比較で約半分になり、アレイ基板６１１ｂの非表示領域ＮＡＡにおいて各フレキシブル基板６２０が実装される部分に設けられる各パネル側端子部６２８の形成範囲及び単位端子の数が、上記した実施形態１との比較で約半分になり、さらには各フレキシブル基板６２０に接続されるソース接続配線６２９の数も、上記した実施形態１との比較で約半分になることから、さらに高精細化が進行しても非表示領域ＮＡＡの額縁幅を狭く保つことができる。
【００８０】
詳しくは、２つの第１フレキシブル基板６２０Ａには、第１半割領域ＨＡ１に配されるソース配線６１１ｊが約半分ずつ接続されるのに対し、２つの第２フレキシブル基板６２０Ｂには、第２半割領域ＨＡ２に配されるソース配線６１１ｊが約半分ずつ接続されている。詳しくは、２つの第１フレキシブル基板６２０Ａは、第１半割領域ＨＡ１において第２中心線ＣＬ２に対して一方側に配されて複数のソース配線６１１ｊにおける一方の端部６１１ｊ１に接続される一方の第１フレキシブル基板６２０Ａと、第１半割領域ＨＡ１において第２中心線ＣＬ２に対して他方側に配されて複数のソース配線６１１ｊにおける他方の端部６１１ｊ２に接続される他方の第１フレキシブル基板６２０Ａと、からなる。そして、一方の第１フレキシブル基板６２０Ａに一方の端部６１１ｊ１が接続されたソース配線６１１ｊと、他方の第１フレキシブル基板６２０Ａに他方の端部６１１ｊ２が接続されたソース配線６１１ｊと、がＸ軸方向について互いに隣り合う配置、つまり交互に並ぶ配置とされている。同様に、２つの第２フレキシブル基板６２０Ｂは、第２半割領域ＨＡ２において第２中心線ＣＬ２に対して一方側に配されて複数のソース配線６１１ｊにおける一方の端部６１１ｊ１に接続される一方の第２フレキシブル基板６２０Ｂと、第１半割領域ＨＡ１において第２中心線ＣＬ２に対して他方側に配されて複数のソース配線６１１ｊにおける他方の端部６１１ｊ２に接続される他方の第２フレキシブル基板６２０Ｂと、からなる。そして、一方の第２フレキシブル基板６２０Ｂに一方の端部６１１ｊ１が接続されたソース配線６１１ｊと、他方の第２フレキシブル基板６２０Ｂに他方の端部６１１ｊ２が接続されたソース配線６１１ｊと、がＸ軸方向について互いに隣り合う配置、つまり交互に並ぶ配置とされている。このように、Ｘ軸方向に沿って並ぶ複数のソース配線６１１ｊは、隣り合うものが第２中心線ＣＬ２を挟んだ両側の領域にそれぞれ配された各フレキシブル基板６２０に接続されている。これにより、ソース接続配線６２９は、周方向についての分布密度が低いものとなるので、さらなる高精細化を図る上で好適となる。また、ゲート接続配線６３０は、各フレキシブル基板６２０とゲート回路部ＧＤＭとを個別に接続するとともに、各パネル側端子部６２８のうちの第１中心線ＣＬ１に最も近い単位端子にそれぞれ接続されている。
【００８１】
以上説明したように本実施形態によれば、第１フレキシブル基板６２０Ａ及び第２フレキシブル基板６２０Ｂは、液晶パネル６１１の非表示領域ＮＡＡに少なくとも２つずつ実装されるとともに、第１中心線ＣＬ１と直交する第２中心線（第２の中心線）ＣＬ２を挟んだ両側に分散して配されて複数のソース配線６１１ｊにおける一方の端部６１１ｊ１と他方の端部６１１ｊ２とにそれぞれ接続されている。このようにすれば、フレキシブル基板６２０が少なくとも４つ備えられるので、高精細化を図る上でより好適となる。その上、少なくとも２つずつの第１フレキシブル基板６２０Ａ及び第２フレキシブル基板６２０Ｂが、第１中心線ＣＬ１と直交する第２中心線ＣＬ２を挟んだ両側に分散して配されるとともに複数のソース配線６１１ｊにおける一方の端部６１１ｊ１と他方の端部６１１ｊ２とにそれぞれ接続されるから、フレキシブル基板６２０の実装数が少なくとも４つとなっても非表示領域ＮＡＡを十分に狭く保つことができ、もって狭額縁化を図る上で好適とされる。
【００８２】
＜実施形態８＞
本発明の実施形態８を図２０によって説明する。この実施形態８では、上記した実施形態７からフレキシブル基板７２０の配置を変更したものを示す。なお、上記した実施形態７と同様の構造、作用及び効果について重複する説明は省略する。
【００８３】
本実施形態に係る４つのフレキシブル基板７２０は、図２０に示すように、第２中心線ＣＬ２に対して片側の領域に集約する形で配されている。４つのフレキシブル基板７２０は、第１中心線ＣＬ１によって区分される第１半割領域ＨＡ１に配される２つの第１フレキシブル基板７２０Ａと、第２半割領域ＨＡ２に配される２つの第２フレキシブル基板７２０Ｂと、からなり、これらがいずれも中心線ＣＬ２に対して一方側（図２０に示す下側）の領域に配されるとともに、各ソース配線７１１ｊにおける一方の端部７１１ｊ１に対してソース接続配線７２９によって接続されている。２つずつの第１フレキシブル基板７２０Ａ及び第２フレキシブル基板７２０Ｂは、第１中心線ＣＬ１の近くに配されるものと、第１中心線ＣＬ１から遠くに配されるものと、からなり、各半割領域ＨＡ１，ＨＡ２をＸ軸方向についてそれぞれさらに半割した各領域に配される複数ずつのソース配線７１１ｊを分担するものとされる。このような構成によれば、各ソース配線７１１ｊに供給するソース信号に係る処理が簡単なものとなる。
【００８４】
以上説明したように本実施形態によれば、第１フレキシブル基板７２０Ａ及び第２フレキシブル基板７２０Ｂは、液晶パネル７１１の非表示領域ＮＡＡに少なくとも２つずつ実装されるとともに、第１中心線ＣＬ１と直交する第２中心線ＣＬ２に対して片側に集約して配されて複数のソース配線７１１ｊにおける一方の端部７１１ｊ１に接続されている。このようにすれば、フレキシブル基板７２０が少なくとも４つ備えられるので、高精細化を図る上でより好適となる。その上、少なくとも２つずつの第１フレキシブル基板７２０Ａ及び第２フレキシブル基板７２０Ｂが、第１中心線ＣＬ１と直交する第２中心線ＣＬ２に対して片側に集約して配されて複数のソース配線７１１ｊにおける一方の端部７１１ｊ１に対して接続されるので、複数のソース配線７１１ｊに供給する信号に係る処理が簡単なものとなる。
【００８５】
＜実施形態９＞
本発明の実施形態９を図２１によって説明する。この実施形態９では、上記した実施形態１から液晶材料の注入方法を変更するとともに、直線状縁部８１１ｂ１の設置数を変更したものを示す。なお、上記した実施形態１と同様の構造、作用及び効果について重複する説明は省略する。
【００８６】
本実施形態に係る液晶パネル８１１は、図２１に示すように、液晶層８１１ｅを構成する液晶材料が真空注入法により注入されている。液晶パネル８１１において液晶層８１１ｅを封止するシール部８１１ｆは、表示領域ＡＡよりも一回り大きな有端環状をなしており、その周方向についての一部が外部に向けて開口することで液晶材料を真空注入するための注入口８１１ｆ１とされている。液晶パネル８１１には、上記した注入口８１１ｆ１を封止して液晶材料の漏れを防ぐための注入口封止部３３が設けられている。注入口封止部３３は、注入口８１１ｆ１を外側から塞ぐ形で設置されている。また、注入口８１１ｆ１及び注入口封止部３３は、液晶パネル８１１の周方向について各フレキシブル基板８２０とは不整合（非重畳）となる配置とされている。
【００８７】
そして、液晶パネル８１１の外周縁部には、周方向について２つのフレキシブル基板８２０と実質的に整合する位置に２つの直線状縁部８１１ｂ１が設けられているのに加えて、周方向について注入口８１１ｇｆ１及び注入口封止部３３と実質的に整合する位置にも１つの直線状縁部８１１ｂ１が設けられている。つまり、液晶パネル８１１の外周縁部には、フレキシブル基板８２０の実装数よりも多い数（３つ）の直線状縁部８１１ｂ１が設けられていることになる。ここで、注入口封止部３３は、注入口８１１ｆ１を外側から塞ぐ形で設置されるため、液晶パネル８１１の外周縁部から径方向について外側に突出する形で配される場合がある。その場合でも、注入口封止部３３は、液晶パネル８１１における実質的な真円状の外形（図２０にて二点鎖線で示される外形）よりも径方向について内側に引っ込む直線状縁部８１１ｂ１に接するとともに直線状縁部８１１ｂ１に沿って延在する形で配されるので、直線状縁部８１１ｂ１から径方向について外側に突出しても、液晶パネル８１１における実質的な真円状の外形からはみ出し難いものとなっている。これにより、液晶パネル８１１を収容する筐体（図示せず）の外形を真円形状とすることができ、もって液晶表示装置の大型化が抑制されるとともに高いデザイン性を担保することができる。なお、図２１では、液晶パネル８１１を構成する一対の基板のうちのアレイ基板８１１ｂのみを図示しているが、図示しないＣＦ基板側にも周方向について注入口８１１ｆ１及び注入口封止部３３と実質的に整合する位置に直線状縁部が設けられている。
【００８８】
以上説明したように本実施形態によれば、液晶パネル８１１は、ＣＦ基板（第１基板）と、ＣＦ基板に対して貼り合わせられるアレイ基板（第２基板）８１１ｂと、ＣＦ基板とアレイ基板８１１ｂとの間に挟み込まれる液晶層８１１ｅと、液晶層８１１ｅの周りを封止するよう周方向に沿って延在し且つその一部に液晶層８１１ｅを構成する液晶材料の注入口８１１ｆ１を有してなるシール部８１１ｆと、注入口８１１ｆ１を封止する注入口封止部３３と、を備えており、複数の直線状縁部８１１ｂ１は、液晶パネル８１１の外周縁部に設けられる数が、複数のフレキシブル基板８２０の実装数よりも多いものとされ、そのうちのフレキシブル基板８２０が非配置とされる直線状縁部８１１ｂ１は、周方向についての位置が注入口８１１ｆ１に実質的に整合するよう配されている。このようにすれば、シール部８１１ｆの注入口８１１ｆ１を封止する注入口封止部３３が、液晶パネル８１１の外周縁部から外側にはみ出した場合でも、実質的に円形をなす液晶パネル８１１の外形が大型化し難いものとなる。
【００８９】
＜実施形態１０＞
本発明の実施形態１０を図２２によって説明する。この実施形態１０では、上記した実施形態１から直線状縁部９１１ｂ１の設置数を変更したものを示す。なお、上記した実施形態１と同様の構造、作用及び効果について重複する説明は省略する。
【００９０】
本実施形態に係る液晶パネル９１１の外周縁部には、図２２に示すように、周方向について２つのフレキシブル基板９２０と実質的に整合する位置に２つの直線状縁部９１１ｂ１が設けられているのに加えて、周方向について２つのフレキシブル基板９２０とは不整合（非重畳）となる位置に２つの直線状縁部９１１ｂ１が設けられている。後者の２つの直線状縁部９１１ｂ１は、フレキシブル基板９２０が非配置とされるとともに、前者の２つの直線状縁部９１１ｂ１（フレキシブル基板９２０が配置される直線状縁部９１１ｂ１）に対してそれぞれ周方向について約９０度の角度範囲を空けた配置とされている。
【００９１】
詳しくは、液晶パネル９１１のうち、第１中心線ＣＬ１によって区分される第１半割領域ＨＡ１における外周縁部には、第１フレキシブル基板９２０Ａが配置される直線状縁部９１１ｂ１と、第１フレキシブル基板９２０Ａが非配置とされる直線状縁部９１１ｂ１と、が設けられており、これら各直線状縁部９１１ｂ１の中心と、液晶パネル９１１の中心Ｃと、を結んで得られる中心角が約９０度程度（ほぼ直角）とされる。また、第１フレキシブル基板９２０Ａが配置される直線状縁部９１１ｂ１と、第１フレキシブル基板９２０Ａが非配置とされる直線状縁部９１１ｂ１と、がなす角度が約９０度程度とされる。同様に、液晶パネル９１１のうち、第１中心線ＣＬ１によって区分される第２半割領域ＨＡ２における外周縁部には、第２フレキシブル基板９２０Ｂが配置される直線状縁部９１１ｂ１と、第２フレキシブル基板９２０Ｂが非配置とされる直線状縁部９１１ｂ１と、が設けられており、これら各直線状縁部９１１ｂ１の中心と、液晶パネル９１１の中心Ｃと、を結んで得られる中心角が約９０度程度（ほぼ直角）とされる。また、第２フレキシブル基板９２０Ｂが配置される直線状縁部９１１ｂ１と、第２フレキシブル基板９２０Ｂが非配置とされる直線状縁部９１１ｂ１と、がなす角度が約９０度程度とされる。なお、図２２には、アレイ基板９１１ｂの各直線状縁部９１１ｂ１を延長した延長線を二点鎖線にて図示している。
【００９２】
このような構成によれば、第１フレキシブル基板９２０Ａを実装する際には、第１半割領域ＨＡ１において、第１フレキシブル基板９２０Ａが配置される直線状縁部９１１ｂ１と、第１フレキシブル基板９２０Ａが非配置される直線状縁部９１１ｂ１と、に図示しない位置決めピンを当接させて液晶パネル９１１を互いに直交する２方向について位置決めした状態で、第１フレキシブル基板９２０Ａの実装を行うことができる。同様に、第２フレキシブル基板９２０Ｂを実装する際には、第２半割領域ＨＡ２において、第２フレキシブル基板９２０Ｂが配置される直線状縁部９１１ｂ１と、第２フレキシブル基板９２０Ｂが非配置される直線状縁部９１１ｂ１と、に図示しない位置決めピンを当接させて液晶パネル９１１を互いに直交する２方向について位置決めした状態で、第２フレキシブル基板９２０Ｂの実装を行うことができる。これにより、各フレキシブル基板９２０Ａ，９２０Ｂを高い位置精度でもって実装することができる。
【００９３】
以上説明したように本実施形態によれば、複数の直線状縁部９１１ｂ１は、液晶パネル９１１の外周縁部に設けられる数が、複数のフレキシブル基板９２０の実装数よりも多いものとされており、複数の直線状縁部９１１ｂ１のうち、フレキシブル基板９２０が非配置とされる直線状縁部９１１ｂ１は、その中心と、フレキシブル基板９２０が配置される直線状縁部９１１ｂ１の中心と、液晶パネル９１１の中心Ｃと、をそれぞれ結んで得られる中心角が９０度となるよう配されている。このようにすれば、複数のフレキシブル基板９２０を実装するに際して、複数の直線状縁部９１１ｂ１を利用することで、液晶パネル９１１を互いに直交する２方向について位置決めすることが可能となる。これにより、複数のフレキシブル基板９２０を高い位置精度でもって実装することができる。
【００９４】
＜実施形態１１＞
本発明の実施形態１１を図２３から図２５によって説明する。この実施形態１１では、上記した実施形態１から直線状縁部１０１１ｂ１の設置数を変更するとともに、タッチパネル３４及びタッチパネル用フレキシブル基板３５を追加したものを示す。なお、上記した実施形態１と同様の構造、作用及び効果について重複する説明は省略する。
【００９５】
本実施形態に係る液晶表示装置１０１０には、図２３及び図２５に示すように、使用者が液晶パネル１０１１に表示された画像に基づいて位置情報を入力することが可能なタッチパネル（位置入力装置）３４と、タッチパネル３４に接続されるタッチパネル用フレキシブル基板（機能部品、位置入力装置用実装部品）３５と、が備えられている。タッチパネル３４は、液晶パネル１０１１に対して表側、つまりバックライト装置１０１２側とは反対側に重なる形で配されている。タッチパネル３４は、例えばガラス製とされて液晶パネル１０１１の外形に倣って略円形状をなす基板と、その基板の板面に設けられて使用者の入力位置を検出するためのタッチパネルパターンと、を有している。タッチパネルパターンは、いわゆる投影型静電容量方式とされており、マルチタッチを検出する上で好ましいものとされる。タッチパネル３４の基板は、その外周縁部が部分的に直線状に切り欠かれており、その直線状の切り欠き縁部３４ａに、位置検出のための各種信号を伝送するためのタッチパネル用フレキシブル基板３５の一端側が接続（実装）されるとともに、タッチパネル用フレキシブル基板３５側の端子部に接続される端子部（図示せず）が設けられている。タッチパネル用フレキシブル基板３５は、絶縁性及び可撓性を有する合成樹脂材料（例えばポリイミド系樹脂等）からなる基材を備え、その基材上に多数本の配線パターン（図示せず）が形成された構成とされており、一端側がタッチパネル３４の上記切り欠き縁部３４ａに、他端側がバックライト装置１０１２の裏側に配されたコントロール基板（タッチパネル制御基板）１０２１に、それぞれ接続されるよう、全体として略Ｕ字型をなす形で折り返されている。コントロール基板１０２１から出力される各種信号は、タッチパネル用フレキシブル基板３５を介してタッチパネル３４に伝送されるようになっており、それにより使用者の入力位置の検出に係る制御がなされるようになっている。なお、本実施形態では、コントロール基板１０２１が液晶パネル１０１１に係る制御と、タッチパネル３４に係る制御と、を共に行うものとされる。
【００９６】
上記したタッチパネル用フレキシブル基板３５は、図２３及び図２４に示すように、液晶パネル１０１１に接続された各フレキシブル基板１０２０とは周方向について不整合（非重畳）となる配置とされている。そして、液晶パネル１０１１の外周縁部には、周方向について２つのフレキシブル基板１０２０と実質的に整合する位置に２つの直線状縁部１０１１ａ１，１０１１ｂ１が設けられているのに加えて、周方向についてタッチパネル用フレキシブル基板３５と実質的に整合する位置にも１つの直線状縁部１０１１ａ１，１０１１ｂ１が設けられている。つまり、液晶パネル１０１１の外周縁部には、フレキシブル基板１０２０の実装数よりも多い数（３つ）の直線状縁部１０１１ａ１，１０１１ｂ１が設けられていることになる。タッチパネル３４に一端側が接続されたタッチパネル用フレキシブル基板３５は、図２５に示すように、その他端側がバックライト装置１０１２内を通ってコントロール基板１０２１に接続されているが、その途中の部分が液晶パネル１０１１のうちフレキシブル基板１０２０が非配置とされた直線状縁部１０１１ａ１，１０１１ｂ１に対して径方向について外側に隣接する形で配されることになる。これにより、タッチパネル用フレキシブル基板３５が液晶パネル１０１１における実質的な真円状の外形からはみ出し難いものとなるので、液晶パネル１０１１を収容する筐体（図示せず）の外形を真円形状とすることができ、もって液晶表示装置１０１０の大型化が抑制されるとともに高いデザイン性を担保することができる。しかも、タッチパネル用フレキシブル基板３５と、各フレキシブル基板１０２０と、が周方向について分散して配されて互いの板面同士に重なり合う配置となることが避けられているから、各フレキシブル基板３５，１０２０により伝送される信号同士が干渉することが避けられ、もって伝送される信号に鈍りなどが生じ難いものとなる。なお、バックライト装置１０１２を構成するＬＥＤ基板１０１８及びシャーシ１０１３には、タッチパネル用フレキシブル基板３５を通すための切り欠きや開口部がそれぞれ設けられている。さらには、タッチパネル３４は、その切り欠き縁部３４ａが液晶パネル１０１１の直線状縁部１０１１ａ１，１０１１ｂ１よりも径方向について内側に引っ込む形で配されているので、同切り欠き縁部３４ａに実装されたタッチパネル用フレキシブル基板３５をコントロール基板１０２１に接続すべく裏側へと折り返す際に、タッチパネル用フレキシブル基板３５の折り曲げ箇所の曲率を小さなもの（曲率半径を大きなもの）とすることができ、言い換えると同折り曲げ箇所の折り曲げ角度を緩やかにすることができる。これにより、タッチパネル用フレキシブル基板３５の折り曲げ箇所に作用し得る応力を緩和することができ、もってタッチパネル用フレキシブル基板３５の接続信頼性を高いものとすることができる。
【００９７】
以上説明したように本実施形態によれば、複数の直線状縁部１０１１ａ１，１０１１ｂ１は、液晶パネル１０１１の外周縁部に設けられる数が、複数のフレキシブル基板１０２０の実装数よりも多いものとされており、そのうちのフレキシブル基板１０２０が非配置とされる直線状縁部１０１１ａ１，１０１１ｂ１に対して平面に視て外側に隣接する形で配されるタッチパネル用フレキシブル基板（機能部品）３５が備えられている。このようにすれば、タッチパネル用フレキシブル基板３５が、実質的に円形または楕円形をなす液晶パネル１０１１の外形の外側にはみ出し難いものとなり、当該液晶表示装置１０１０が大型化し難いものとなる。
【００９８】
＜実施形態１２＞
本発明の実施形態１２を図２６によって説明する。この実施形態１２では、上記した実施形態１から直線状縁部１１１１ｂ１の設置数を変更するとともに、機能部品としてカメラ３６及び照度センサ３７を追加したものを示す。なお、上記した実施形態１と同様の構造、作用及び効果について重複する説明は省略する。
【００９９】
本実施形態に係る液晶表示装置１１１０は、図２６に示すように、機能部品としてカメラ（撮像素子）３６及び照度センサ３７を備えており、カメラ３６により撮像した画像を液晶パネル１１１１に表示したり、液晶パネル１１１１に表示される画像の明るさを照度センサ３７により検出した外部環境の明るさに応じて調整したりすることが可能とされる。これらカメラ３６及び照度センサ３７は、周方向について各フレキシブル基板１１２０とは不整合（非重畳）となる配置とされている。そして、液晶パネル１１１１の外周縁部には、周方向について２つのフレキシブル基板１１２０と実質的に整合する位置に２つの直線状縁部１１１１ｂ１が設けられているのに加えて、周方向についてカメラ３６及び照度センサ３７と実質的に整合する位置にも１つの直線状縁部１１１１ｂ１が設けられている。つまり、液晶パネル１１１１の外周縁部には、フレキシブル基板１１２０の実装数よりも多い数（３つ）の直線状縁部１１１１ｂ１が設けられていることになる。カメラ３６及び照度センサ３７は、液晶パネル１１１１のうちフレキシブル基板１１２０が非配置とされた直線状縁部１１１１ｂ１に対して径方向について外側に隣接する形で配される。これにより、カメラ３６及び照度センサ３７が液晶パネル１１１１における実質的な真円状の外形からはみ出し難いものとなるので、液晶パネル１１１１を収容する筐体３８の外形を真円形状とすることができ、もって液晶表示装置１１１０の大型化が抑制されるとともに高いデザイン性を担保することができる。なお、図２６では、筐体３８の外形を二点鎖線にて図示している。
【０１００】
＜実施形態１３＞
本発明の実施形態１３を図２７によって説明する。この実施形態１３では、上記した実施形態１から液晶表示装置１２１０及び液晶パネル１２１１の外形を変更したものを示す。なお、上記した実施形態１と同様の構造、作用及び効果について重複する説明は省略する。
【０１０１】
本実施形態に係る液晶表示装置１２１０及び液晶パネル１２１１は、図２７に示すように、その平面形状が横長な略楕円形状をなしている。このような構成では、表示領域ＡＡの横幅、つまりソース配線１２１１ｊの形成範囲が、表示領域ＡＡの縦幅、つまりゲート配線１２１１ｉの形成範囲よりも広くなることから、各フレキシブル基板１２２０を横方向、つまり長軸方向について分散する形で配置するのが好ましいものとされる。
【０１０２】
＜実施形態１４＞
本発明の実施形態１４を図２８によって説明する。この実施形態１４では、上記した実施形態１からフレキシブル基板１３２０の設置数を変更したものを示す。なお、上記した実施形態１と同様の構造、作用及び効果について重複する説明は省略する。
【０１０３】
本実施形態に係るフレキシブル基板１３２０は、図２８に示すように、合計３つ備えられており、第１中心線ＣＬ１によって区分される２つの半割領域ＨＡ１，ＨＡ２にそれぞれ配されるものと、２つの半割領域ＨＡ１，ＨＡ２に跨って配されるものと、から構成される。２つの半割領域ＨＡ１，ＨＡ２にそれぞれ配される２つのフレキシブル基板１３２０は、第２中心線ＣＬ２に対して一方側（図２８に示す下側）の領域に配される。これに対し、２つの半割領域ＨＡ１，ＨＡ２に跨って配されるフレキシブル基板１３２０は、第２中心線ＣＬ２に対して他方側（図２８に示す上側）の領域に配されるとともに、Ｘ軸方向について上記した２つのフレキシブル基板１３２０の間に挟まれた配置とされる。より詳しくは、２つの半割領域ＨＡ１，ＨＡ２に跨って配されるフレキシブル基板１４２０は、その幅方向についての中心が第１中心線ＣＬ１と同心をなす配置とされている。そして、２つの半割領域ＨＡ１，ＨＡ２に跨って配されるフレキシブル基板１３２０は、表示領域ＡＡのうちＸ軸方向について中央側部分に配されるソース配線１３１１ｊに対してソース接続配線１３２９を介して接続されているのに対し、２つの半割領域ＨＡ１，ＨＡ２にそれぞれ配される２つのフレキシブル基板１３２０は、表示領域ＡＡのうちＸ軸方向について両端側部分に配されるソース配線１３１１ｊに対してソース接続配線１３２９を介してそれぞれ接続されている。また、２つの半割領域ＨＡ１，ＨＡ２に跨って配されるフレキシブル基板１３２０には、ゲート回路部ＧＤＭに接続される２本のゲート接続配線１３３０が接続されている。また、液晶パネル１３１１の外周縁部には、周方向について上記した３つのフレキシブル基板１３２０と実質的に整合する位置に３つの直線状縁部１３１１ｂ１が設けられている。このような構成であっても、高精細化が進行しても非表示領域ＮＡＡの額縁幅を狭く保つことができる。
【０１０４】
＜実施形態１５＞
本発明の実施形態１５を図２９によって説明する。この実施形態１５では、上記した実施形態１から液晶パネル１４１１の外形を変更したものを示す。なお、上記した実施形態１と同様の構造、作用及び効果について重複する説明は省略する。
【０１０５】
本実施形態に係る液晶パネル１４１１は、図２９に示すように、外周縁部が部分的に径方向について外側に突き出すとともに、その突出部分３９にパネル側端子部１４２８（フレキシブル基板１４２０の実装領域）及び直線状縁部１４１１ｂが設けられた構成とされる。このような構成であっても、上記した実施形態１と同様に、各フレキシブル基板１４２０の個々の幅（大きさ）が小さくなるとともに、各直線状縁部１４１１ｂの個々の長さを短くすることができるので、狭額縁化を図る上で好適とされるとともに大型化の抑制を図る上で好適となる。
【０１０６】
＜他の実施形態＞
本発明は上記記述及び図面によって説明した実施形態に限定されるものではなく、例えば次のような実施形態も本発明の技術的範囲に含まれる。
（１）上記した各実施形態（但し、実施形態７，８，１４を除く）の変形例として、例えば、２つのフレキシブル基板の両方またはいずれか１つが、第１中心線により区分される両半割領域に分散され且つ第２中心線により区分される両側の領域に分散される形で配されていても構わない。なお、フレキシブル基板の配置変更に伴って直線状縁部などの配置も変更することができる。
【０１０７】
（２）上記した各実施形態（但し、実施形態６，１４を除く）の変形例として、例えば、複数のフレキシブル基板のうちの１つが、第１中心線により区分される両半割領域に跨る形で配置されていても構わない。なお、フレキシブル基板の配置変更に伴って直線状縁部などの配置も変更することができる。
【０１０８】
（３）上記した各実施形態（但し、実施形態５を除く）の変形例として、例えば、複数のフレキシブル基板のうちの１つが、第２中心線により区分される両側の領域に跨る形で配置されていても構わない。なお、フレキシブル基板の配置変更に伴って直線状縁部などの配置も変更することができる。
【０１０９】
（４）上記した各実施形態では、複数のフレキシブル基板が第１中心線に関して線対称となる配置とされる場合を示したが、複数のフレキシブル基板が第１中心線に関して非線対称となる配置とされていても構わない。なお、フレキシブル基板の配置変更に伴って直線状縁部などの配置も変更することができる。
【０１１０】
（５）上記した実施形態５〜７では、複数のフレキシブル基板が第２中心線に関して線対称となる配置とされる場合を示したが、複数のフレキシブル基板が第２中心線に関して非線対称となる配置とされていても構わない。なお、フレキシブル基板の配置変更に伴って直線状縁部などの配置も変更することができる。
【０１１１】
（６）上記した各実施形態では、フレキシブル基板の実装数（フレキシブル基板が配置される直線状縁部の数）を２〜４とした場合を示したが、フレキシブル基板の実装数を５以上にすることも可能である。その場合、フレキシブル基板の実装数は、偶数であっても奇数であっても構わない。なお、フレキシブル基板の設置数変更に伴ってフレキシブル基板が配置される直線状縁部などの設置数も変更することができる。
【０１１２】
（７）上記した各実施形態では、直線状縁部が液晶パネルを構成するアレイ基板とＣＦ基板との双方に設けられた場合を示したが、直線状縁部をアレイ基板のみに設けるようにし、ＣＦ基板には設けないようにすることも可能である。
【０１１３】
（８）上記した実施形態９〜１２では、フレキシブル基板が非配置とされる直線状縁部の数を１または２とした場合を示したが、フレキシブル基板が非配置とされる直線状縁部の数を３以上とすることも可能である。また、フレキシブル基板が非配置とされる直線状縁部に関する周方向についての配置も適宜に変更可能である。
【０１１４】
（９）上記した各実施形態では、バックライト装置の構成部品であるＬＥＤ基板及びシャーシにフレキシブル基板を通すための切り欠きや開口部を形成した場合を示したが、例えばＬＥＤ基板の外縁部がフレキシブル基板とは非重畳となる位置関係の場合は、ＬＥＤ基板の外縁部に切り欠きを設けない構成とすることができ、またフレキシブル基板がシャーシの底壁部を貫通しない経路で引き回される構成の場合は、シャーシの底壁部に開口部を設けない構成とすることができる。逆に、バックライト装置の構成部品のうちの反射シートの外縁部がフレキシブル基板と重畳する位置関係となる場合は、反射シートの外縁部にフレキシブル基板を通すための切り欠きを設けるようにするのが好ましい。
【０１１５】
（１０）上記した各実施形態にて図示したソース接続配線及びゲート接続配線の具体的な配置や配索経路などは、適宜に変更可能である。
【０１１６】
（１１）上記した各実施形態では、ソース接続配線がソース配線と同じ金属膜からなり、ゲート接続配線がゲート配線と同じ金属膜からなる場合を示したが、ソース接続配線がゲート配線と同じ金属膜からなり、ゲート接続配線がソース配線と同じ金属膜からなる構成でもよい。また、ソース接続配線やゲート接続配線が、ゲート配線と同じ金属膜からなる部分と、ソース配線と同じ金属膜からなる部分と、から構成されるようにしてもよい。
【０１１７】
（１２）上記した各実施形態では、各フレキシブル基板における幅方向についての中心と、周方向について実質的に整合する配置となる各直線状縁部における延在方向についての中心と、がほぼ一致する形で各フレキシブル基板が実装される構成を例示したが、各フレキシブル基板における幅方向についての中心と、周方向について実質的に整合する配置となる各直線状縁部における延在方向についての中心と、が不一致となる配置（位置ずれした配置）を採ることも可能である。
【０１１８】
（１３）上記した実施形態１では、各直線状縁部の延在方向（各フレキシブル基板の幅方向）についての中心と、各半割領域におけるソース配線と直交する方向についての中心と、が一致する構成を例示したが、要はこれらの中心同士が実質的に整合している限りは、中心同士が多少位置ずれしていても構わない。また、上記した実施形態１では、各フレキシブル基板における幅方向の中心が、ソース用単位端子群の中心と一致した場合を示したが、これらが必ずしも一致していなくても構わない。具体的には、フレキシブル基板における幅方向の中心と、ソース用単位端子群の中心と、が一致しない構成において、ソース用単位端子群に含まれるソース用単位端子の数を「２ｎ＋１（ｎは正の整数）」としたとき、フレキシブル基板における幅方向の中心に対して一方側に配されるソース用単位端子の数が「ｎ」となり、上記中心に対して他方側に配されるソース用単位端子の数が「ｎ＋１」となるような配置とすることも可能である。要は、フレキシブル基板における幅方向の中心に対して一方側に配置されるソース用単位端子の数と、他方側に配置されるソース用単位端子の数と、が異なっていても構わない。
【０１１９】
（１４）上記した実施形態２に記載したゲート回路部を非表示領域に配置する構成を、実施形態３〜１５に記載した構成に適宜に組み合わせることが可能である。
【０１２０】
（１５）上記した実施形態３に記載したドライバをアレイ基板に直接実装する構成を、実施形態４〜１５に記載した構成に適宜に組み合わせることが可能である。
【０１２１】
（１６）上記した実施形態４に記載したフレキシブル基板の配置を、実施形態７〜１５に記載した構成に適宜に組み合わせることが可能である。
【０１２２】
（１７）上記した実施形態５に記載したフレキシブル基板の配置を、実施形態７〜１５に記載した構成に適宜に組み合わせることが可能である。
【０１２３】
（１８）上記した実施形態６に記載したフレキシブル基板の配置を、実施形態７〜１５に記載した構成に適宜に組み合わせることが可能である。
【０１２４】
（１９）上記した実施形態７に記載したフレキシブル基板の配置を、実施形態９〜１５に記載した構成に適宜に組み合わせることが可能である。
【０１２５】
（２０）上記した実施形態８に記載したフレキシブル基板の配置を、実施形態９〜１５に記載した構成に適宜に組み合わせることが可能である。
【０１２６】
（２１）上記した実施形態９に記載した注入口封止部と周方向について実質的に整合する配置の直線状縁部を、実施形態１０〜１５に記載した構成に適宜に組み合わせることが可能である。特に、実施形態１０と組み合わせて、直線状縁部を、液晶パネルを互いに直交する２方向についての位置決めとして利用することが可能である。また、注入口封止部の厚みにもよるが、実施形態１１と組み合わせて、直線状縁部とタッチパネル用フレキシブル基板とを周方向について実質的に整合する配置とすることも可能である。また、注入口封止部の厚みにもよるが、実施形態１２と組み合わせて、直線状縁部とカメラや照度センサなどの機能部品とを周方向について実質的に整合する配置とすることも可能である。
【０１２７】
（２２）上記した実施形態１０に記載したフレキシブル基板が非配置とされて位置決めに用いられる直線状縁部を、実施形態１１〜１５に記載した構成に適宜に組み合わせることが可能である。特に、実施形態１１と組み合わせて、タッチパネル用フレキシブル基板と周方向について実質的に整合する配置とされた直線状縁部を利用して液晶パネルを互いに直交する２方向について位置決めすることが可能である。また、実施形態１２と組み合わせて、カメラや照度センサなどの機能部品と周方向について実質的に整合する配置とされた直線状縁部を利用して液晶パネルを互いに直交する２方向について位置決めすることが可能である。
【０１２８】
（２３）上記した実施形態１１に記載されたタッチパネル用フレキシブル基板と周方向について実質的に整合する配置とされた直線状縁部を、実施形態１２〜１５に記載した構成に適宜に組み合わせることが可能である。特に、実施形態１２と組み合わせて、直線状縁部とカメラや照度センサなどの機能部品とを周方向について実質的に整合する配置とすることも可能である。
【０１２９】
（２４）また、上記した実施形態１１の変形例として、タッチパネル用フレキシブル基板が複数に分割されていても構わない。その場合、タッチパネル用フレキシブル基板の分割数に応じて液晶パネルにおける直線状縁部の設置数及び配置を変更することができる。
【０１３０】
（２５）上記した実施形態１２に記載されたカメラや照度センサなどの機能部品と周方向について実質的に整合する配置とされた直線状縁部を、実施形態１３〜１５に記載した構成に適宜に組み合わせることが可能である。
【０１３１】
（２６）上記した実施形態１２では、機能部品としてカメラや照度センサを備える液晶表示装置を例示したが、機能部品としてカメラや照度センサ以外の機能部品（スイッチ、コネクタなど）を備える液晶表示装置にも本発明は適用可能である。
【０１３２】
（２７）上記した実施形態１３に記載された略楕円形の液晶パネルを、実施形態１４，１５に記載した構成に適宜に組み合わせることが可能である。
【０１３３】
（２８）上記した実施形態１３では、液晶表示装置及び液晶パネルの平面形状を横長な楕円形状とした場合を示したが、液晶表示装置及び液晶パネルの平面形状を縦長な楕円形状とすることも可能である。
【０１３４】
（２９）上記した実施形態１４に記載されたフレキシブル基板の配置を、実施形態１５に記載した構成に適宜に組み合わせることが可能である。
【０１３５】
（３０）上記した各実施形態では、液晶パネルの外形及び表示領域が共に略円形状または略楕円形状とされる場合を示したが、液晶パネルの外形は略円形状または略楕円形状とされるものの、表示領域が方形などの多角形とされる構成にも本発明は適用可能である。また、液晶パネルの外形が略円形状（略楕円形状）であるのに対し、表示領域が略楕円形状（略円形状）とされる構成でも構わない。
【０１３６】
（３１）上記した各実施形態（但し、実施形態２を除く）では、表示領域内に設けたゲート回路部がＸ軸方向について中央位置に配置される場合を示したが、ゲート回路部がＸ軸方向について第１中心線を挟んだ両側に分散して複数配置される構成であっても構わない。また、ゲート回路部に、第１中心線と重畳するものと、第１中心線とは非重畳とされるものと、が含まれていても構わない。なお、ゲート回路部の具体的な設置数や表示領域内における配置などは適宜に変更可能である。
【０１３７】
（３２）上記した各実施形態では、ゲート回路部が表示領域に配される場合と、ゲート回路部が非表示領域に配される場合と、を示したが、ゲート回路部が表示領域と非表示領域とに跨る形で配される構成であっても構わない。
【０１３８】
（３３）上記した各実施形態以外にも、バックライト装置を構成する導光板の厚みやＬＥＤの高さなどの具体的な数値は適宜に変更可能である。
【０１３９】
（３４）上記した各実施形態では、ＴＦＴのチャネル部を構成する半導体膜の材料として酸化物半導体材料を示したが、その具体的な材料としては、例えば、インジウム（Ｉｎ）、ガリウム（Ｇａ）、亜鉛（Ｚｎ）、酸素（Ｏ）を含むＩｎ−Ｇａ−Ｚｎ−Ｏ系半導体（酸化インジウムガリウム亜鉛）を用いるのが好ましい。ここで、Ｉｎ−Ｇａ−Ｚｎ−Ｏ系半導体は、Ｉｎ（インジウム）、Ｇａ（ガリウム）、Ｚｎ（亜鉛）の三元系酸化物であって、Ｉｎ、Ｇａ及びＺｎの割合（組成比）は特に限定されず、例えばＩｎ：Ｇａ：Ｚｎ＝２：２：１、Ｉｎ：Ｇａ：Ｚｎ＝１：１：１、Ｉｎ：Ｇａ：Ｚｎ＝１：１：２等を含む。このうち、Ｉｎ、ＧａおよびＺｎを１：１：１の割合で含むＩｎ−Ｇａ−Ｚｎ−Ｏ系半導体を用いるのが特に好ましい。このような酸化物半導体（Ｉｎ−Ｇａ−Ｚｎ−Ｏ系半導体）は、アモルファスでもよいが、好ましくは結晶質部分を含む結晶性を有するものとされる。結晶性を有する酸化物半導体としては、例えば、ｃ軸が層面に概ね垂直に配向した結晶質Ｉｎ−Ｇａ−Ｚｎ−Ｏ系半導体が好ましい。このような酸化物半導体（Ｉｎ−Ｇａ−Ｚｎ−Ｏ系半導体）の結晶構造は、例えば、特開２０１２−１３４４７５号公報に開示されている。参考のために、特開２０１２−１３４４７５号公報の開示内容の全てを本明細書に援用する。
【０１４０】
（３５）上記した各実施形態では、ＴＦＴのチャネル部を構成する半導体膜が酸化物半導体材料からなる場合を例示したが、それ以外にも、例えばポリシリコン（多結晶化されたシリコン（多結晶シリコン）の一種であるＣＧシリコン（Continuous Grain Silicon））やアモルファスシリコンを半導体膜の材料として用いることも可能である。
【０１４１】
（３６）上記した各実施形態では、ＬＥＤ基板を光学シート（拡散シート）に固着させる場合を示したが、ＬＥＤ基板を光学シートに固着させないようにすることも可能である。
【０１４２】
（３７）上記した各実施形態では、ＬＥＤ基板が導光板に対して表側に重なる形で配される構成のものを例示したが、ＬＥＤ基板が導光板及び反射シートに対して裏側に重なる形で配される構成のものにも本発明は適用可能である。その場合、ＬＥＤ基板における表側の板面にＬＥＤが実装されることになる。
【０１４３】
（３８）上記した各実施形態では、ＬＥＤが側面発光型とされる場合を例示したが、頂面発光型のＬＥＤを用いることも可能である。また、ＬＥＤ基板において周方向に沿って並ぶＬＥＤ間の間隔については、全てが等しくなくてもよく、ＬＥＤが不等間隔に配列されていても構わない。また、ＬＥＤ基板に実装されるＬＥＤの数や周方向について隣り合うＬＥＤの間の間隔などは適宜に変更可能である。
【０１４４】
（３９）上記した各実施形態では、ＬＥＤ基板がフィルム状の基材からなるものを例示したが、ＬＥＤ基板の基材が一定の厚みを有する板状をなす構成とすることも可能である。
【０１４５】
（４０）上記した各実施形態では、光源としてＬＥＤを例示したが、光源として有機ＥＬなどを用いるようにしてもよい。
【０１４６】
（４１）上記した各実施形態では、液晶パネルが有するカラーフィルタの着色部をＲ，Ｇ，Ｂの３色としたものを例示したが、着色部を４色以上とすることも可能である。
【０１４７】
（４２）上記した各実施形態以外にも、視差バリアパネル、カバーガラスなどを備えた液晶表示装置にも本発明は適用可能である。
【０１４８】
（４３）上記した各実施形態では、透過型の液晶表示装置を例示したが、それ以外にも半透過型の液晶表示装置にも本発明は適用可能である。
【０１４９】
（４４）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１５０】
（４５）上記した各実施形態では、液晶パネルにおけるアレイ基板側に画素電極が配されるとともにＣＦ基板側に対向電極が配されるものを示したが、アレイ基板側に画素電極と対向電極とが共に配される構成の液晶パネルを用いることも可能である。このような液晶パネルは、好ましくはＩＰＳ（In-Plane Switching）モードやＦＦＳ（Fringe Field Switching）モードとされる。
【０１５１】
（４６）上記した各実施形態では、表示パネルとして液晶パネルを用いた場合を示したが、例えば、バックライト装置からの光を利用して画像を表示するＭＥＭＳ（Micro Electro Mechanical Systems）表示パネルを用いることも可能である。このＭＥＭＳ表示パネルは、表示画素を構成する微小な機械式シャッタが多数個マトリクス状に平面配置されてなり、各機械式シャッタの開閉を個別に制御することで、表示画素毎にバックライト装置からの光に係る透過光量を調整し、もって所定の階調の画像を表示することができる。
【符号の説明】
【０１５２】
１０，１０１０，１１１０，１２１０...液晶表示装置（表示装置）、１１，１１１，２１１，３１１，４１１，５１１，６１１，７１１，８１１，９１１，１０１１，１１１１，１２１１，１３１１，１４１１...液晶パネル（表示パネル）、１１ａ...ＣＦ基板（第１基板）、１１ａ１，１０１１ａ１...直線状縁部、１１ｂ，１１１ｂ，２１１ｂ，３１１ｂ，４１１ｂ，５１１ｂ，６１１ｂ，８１１ｂ，９１１ｂ，１０１１ｂ，１１１１ｂ...アレイ基板（第２基板）、１１ｂ１，３１１ｂ１，４１１ｂ１，６１１ｂ１，８１１ｂ１，９１１ｂ１，１０１１ｂ１，１１１１ｂ１，１３１１ｂ１，１４１１ｂ１...直線状縁部、１１ｅ，８１１ｅ...液晶層、１１ｆ，８１１ｆ...シール部、１１ｇ...ＴＦＴ（表示素子）、１１ｉ，１１１ｉ，１２１１ｉ...ゲート配線（走査線）、１１ｊ，２１１ｊ，３１１ｊ，４１１ｊ，５１１ｊ，６１１ｊ，７１１ｊ，１２１１ｊ...ソース配線（データ線）、１１ｊ１，４１１ｊ１，５１１ｊ１，６１１ｊ１，７１１ｊ１，１３１１ｊ１...一方の端部、１１ｊ２，４１１ｊ２，５１１ｊ２，６１１ｊ２...他方の端部、１２，１０１２...バックライト装置（照明装置）、１４...導光板、１７...ＬＥＤ（光源）、２０，２２０，３２０，４２０，５２０，６２０，７２０，８２０，９２０，１０２０，１１２０，１２２０，１３２０，１４２０...フレキシブル基板（実装部品）、２０Ａ，３２０Ａ，４２０Ａ，５２０Ａ，６２０Ａ，７２０Ａ，９２０Ａ...第１フレキシブル基板（第１実装部品）、２０Ｂ，３２０Ｂ，４２０Ｂ，５２０Ｂ，６２０Ｂ，７２０Ｂ，９２０Ｂ...第２フレキシブル基板（第２実装部品）、２９，１２９，２２９，４２９，５２９，６２９，７２９，１３２９...ソース接続配線（データ接続配線）、３０，１３０，４３０，５３０，６３０，１３３０...ゲート接続配線（走査接続配線）、３２，２３２...ドライバ（データ回路部）、３３...注入口封止部、３５...タッチパネル用フレキシブル基板（機能部品）、３６...カメラ（機能部品）、３７...照度センサ（機能部品）、７１１ｆ１...注入口、ＡＡ...表示領域、Ｃ...中心、ＣＬ１...第１中心線（中心線）、ＣＬ２...第２中心線（中心線、第２の中心線）、ＧＤＭ...ゲート回路部（走査回路部）、ＨＡ１...第１半割領域、ＨＡ２...第２半割領域、ＮＡＡ...非表示領域（外周側部分）
【図１】
2016143659.tif 000003
【図２】
2016143659.tif 000004
【図３】
2016143659.tif 000005
【図４】
2016143659.tif 000006
【図５】
2016143659.tif 000007
【図６】
2016143659.tif 000008
【図７】
2016143659.tif 000009
【図８】
2016143659.tif 000010
【図９】
2016143659.tif 000011
【図１０】
2016143659.tif 000012
【図１１】
2016143659.tif 000013
【図１２】
2016143659.tif 000014
【図１３】
2016143659.tif 000015
【図１４】
2016143659.tif 000016
【図１５】
2016143659.tif 000017
【図１６】
2016143659.tif 000018
【図１７】
2016143659.tif 000019
【図１８】
2016143659.tif 000020
【図１９】
2016143659.tif 000021
【図２０】
2016143659.tif 000022
【図２１】
2016143659.tif 000023
【図２２】
2016143659.tif 000024
【図２３】
2016143659.tif 000025
【図２４】
2016143659.tif 000026
【図２５】
2016143659.tif 000027
【図２６】
2016143659.tif 000028
【図２７】
2016143659.tif 000029
【図２８】
2016143659.tif 000030
【図２９】
2016143659.tif 000031
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
実質的に円形または楕円形とされる外周縁部を部分的に直線状にしてなる直線状縁部が複数設けられる表示パネルと、
前記表示パネルの外周側部分にて周方向について複数の前記直線状縁部の配置と整合する形で実装される複数の実装部品と、を備え、
前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子を順次に走査して選択的に駆動する走査回路部と、が少なくとも設けられ、
前記表示パネルには、複数の前記表示素子に接続される複数のデータ線が前記表示領域に、複数の前記実装部品と複数の前記データ線の一方の端部とを接続する複数のデータ接続配線と、複数の前記実装部品と前記走査回路部とを接続する複数の走査接続配線と、が前記非表示領域にそれぞれ少なくとも設けられており、
複数の前記実装部品は、前記データ線の他方の端部よりも前記一方の端部の近くに配されているのに対し、複数の前記走査接続配線は、前記データ線の前記他方の端部側から前記走査回路部に接続されている表示装置。
【請求項２】
前記表示パネルは、画像を表示する表示領域と、前記外周側部分により構成されて前記表示領域を取り囲む非表示領域と、に区分され、そのうちの前記表示領域には、マトリクス状に並んで配される複数の表示素子が少なくとも設けられるのに対し、前記非表示領域には、複数の前記表示素子を順次に走査して選択的に駆動する走査回路部が少なくとも設けられている請求項１記載の表示装置。
【請求項３】
前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子に接続される複数のデータ線と、が少なくとも設けられており、
前記表示パネルを前記データ線に並行する中心線によって第１半割領域と第２半割領域とに区分したとき、複数の前記実装部品には、前記第１半割領域に配されてそこの前記データ線に接続される第１実装部品と、前記第２半割領域に配されてそこの前記データ線に接続される第２実装部品と、が少なくとも含まれている請求項１または請求項２に記載の表示装置。
【請求項４】
前記表示パネルには、複数の前記実装部品と複数の前記データ線の一方の端部とを接続する複数のデータ接続配線が前記非表示領域に少なくとも設けられており、
前記第１実装部品は、前記直線状縁部の延在方向についての中心が、前記第１半割領域における前記データ線と直交する方向についての中心と実質的に整合する形で配されているのに対し、前記第２実装部品は、前記直線状縁部の延在方向についての中心が、前記第２半割領域における前記データ線と直交する方向についての中心と実質的に整合する形で配されている請求項３記載の表示装置。
【請求項５】
前記第１実装部品と前記周方向について整合する配置の前記直線状縁部、及び前記第２実装部品と前記周方向について整合する配置の前記直線状縁部は、それらにおける延在方向についての中心と、前記表示パネルの中心と、を結んで得られる中心角が、略９０度となるよう配されている請求項３記載の表示装置。
【請求項６】
前記表示パネルには、複数の前記実装部品と複数の前記データ線とを接続する複数のデータ接続配線が少なくとも前記非表示領域に設けられており、
前記第１実装部品及び前記第２実装部品は、それらにおける前記直線状縁部の延在方向についての中心と、前記表示パネルの中心と、を結んで得られる中心角が、略１８０度となるよう配されており、
複数の前記データ接続配線には、前記データ線における一方の端部に接続されるものと、前記データ接続配線に前記一方の端部が接続された前記データ線に対して隣り合う配置の前記データ線における他方の端部に接続されるものと、が含まれている請求項３記載の表示装置。
【請求項７】
前記第１実装部品及び前記第２実装部品は、前記表示パネルの前記非表示領域に少なくとも２つずつ実装されるとともに、前記中心線と直交する第２の中心線を挟んだ両側に分散して配されて複数の前記データ線における一方の端部と他方の端部とにそれぞれ接続されている請求項３から請求項６のいずれか１項に記載の表示装置。
【請求項８】
前記第１実装部品及び前記第２実装部品は、前記表示パネルの前記非表示領域に少なくとも２つずつ実装されるとともに、前記中心線と直交する第２の中心線に対して片側に集約して配されて複数の前記データ線における一方の端部に接続されている請求項３から請求項６のいずれか１項に記載の表示装置。
【請求項９】
前記表示パネルは、画像を表示する表示領域と、前記外周側部分により構成されて前記表示領域を取り囲む非表示領域と、に区分され、そのうちの前記表示領域には、マトリクス状に並んで配される複数の表示素子と、複数の前記表示素子に接続される複数のデータ線と、が少なくとも設けられるのに対し、前記非表示領域には、複数の前記実装部品と複数の前記データ線とを接続する複数のデータ接続配線が少なくとも設けられており、
複数の前記実装部品は、前記表示パネルを前記データ線と直交する中心線を挟んだ一方側と他方側とに分散して配されているのに対し、複数の前記データ線は、前記中心線に対して一方側に配された前記実装部品に対して一方の端部が接続されるものと、前記中心線に対して他方側に配された前記実装部品に対して他方の端部が接続されるものと、が交互に並ぶ形で配される構成となっている請求項１または請求項２に記載の表示装置。
【請求項１０】
複数の前記直線状縁部は、前記表示パネルの外周縁部に設けられる数が、複数の前記実装部品の実装数よりも多いものとされており、
複数の前記直線状縁部のうち、前記実装部品が非配置とされる前記直線状縁部は、その中心と、前記実装部品が配置される前記直線状縁部の中心と、前記表示パネルの中心と、をそれぞれ結んで得られる中心角が略９０度となるよう配されている請求項１から請求項９のいずれか１項に記載の表示装置。
【請求項１１】
前記表示パネルは、第１基板と、前記第１基板に対して貼り合わせられる第２基板と、前記第１基板と前記第２基板との間に挟み込まれる液晶層と、前記液晶層の周りを封止するよう前記周方向に沿って延在し且つその一部に前記液晶層を構成する液晶材料の注入口を有してなるシール部と、前記注入口を封止する注入口封止部と、を備えており、
複数の前記直線状縁部は、前記表示パネルの外周縁部に設けられる数が、複数の前記実装部品の実装数よりも多いものとされ、そのうちの前記実装部品が非配置とされる前記直線状縁部は、前記周方向についての位置が前記注入口に整合するよう配されている請求項１から請求項１０のいずれか１項に記載の表示装置。
【請求項１２】
複数の前記直線状縁部は、前記表示パネルの外周縁部に設けられる数が、複数の前記実装部品の実装数よりも多いものとされており、
そのうちの前記実装部品が非配置とされる前記直線状縁部に対して平面に視て外側に隣接する形で配される機能部品が備えられている請求項１から請求項１１のいずれか１項に記載の表示装置。
【請求項１３】
前記表示パネルに光を照射する照明装置であって、前記周方向に沿って間隔を空けて並んで配される複数の光源と、複数の前記光源の光を導光する導光板と、を少なくとも有する照明装置を備えており、
複数の前記光源は、前記周方向について隣り合うものと、前記表示パネルの中心と、を結んで得られる中心角が、前記実装部品のうちの前記直線状縁部の延在方向についての両端位置と、前記表示パネルの中心と、を結んで得られる中心角と同じかそれよりも大きくなるよう配されている請求項１から請求項１２のいずれか１項に記載の表示装置。
【国際調査報告】
2016143659.tif 000032
2016143659.tif 000033
2016143659.tif 000034
2016143659.tif 000035